(57)【要約】  本出願は、基材と、前記基材上に備えられた装飾層と、を含む装飾部材であって、式１で表される奥行き感パラメータ値δ１ｍが０．１５以上であることを特徴とする装飾部材に関する。
2021510641.tif 000002
【特許請求の範囲】
【請求項１】
基材と、前記基材上に備えられた装飾層と、を含む装飾部材であって、
前記装飾層の面に垂直な方向をｘ軸、前記装飾層の面上の何れか一方向をｙ軸とし、３８０ｎｍ≦λ≦７８０ｎｍの波長のＤ６５標準光源の条件下で探知手段（ｄｅｔｅｃｔｏｒ）を用いて前記装飾層上のｙ軸の幅の中心点を探知する時に、前記探知手段の中心と、前記装飾層上のｙ軸の幅の中心点とを連結した線がｘ軸−ｙ軸の平面でｘ軸と成す中心視野角を
2021510641.tif 000193
とし、前記探知手段の中心から前記装飾層上のｙ軸方向の幅の中心点までの距離をＤｖとしたときに、前記中心視野角
2021510641.tif 000194
の少なくとも一部において、下記式１で表される奥行き感パラメータ値δ１ｍが０．１５以上である、装飾部材。
［式１］
δ１ｍ＝｜Δｈ｜ｍａｘ／Ｄｖ
（前記式１中、｜Δｈ｜ｍａｘは、下記式２で表されるΔｈの最大値であり、
［式２］
【数１】
2021510641.tif 000195
前記式２中、Δｄは、下記式３で表され、
［式３］
2021510641.tif 000196
前記式３中、
2021510641.tif 000197
は、前記探知手段の中心と、前記探知手段により探知される前記装飾層上のｙ軸上の一地点とを連結した線がｘ軸−ｙ軸の平面でｘ軸と成す視野角であり、
2021510641.tif 000198
は、それぞれ下記式４および式５で表され、
［式４］
【数２】
2021510641.tif 000199
［式５］
【数３】
2021510641.tif 000200
前記式４および式５中、
2021510641.tif 000201
は、それぞれ視野角
2021510641.tif 000202
での角輝度であり、
前記式２中、
2021510641.tif 000203
は、下記式６の範囲を満たし、
［式６］
2021510641.tif 000204
前記式６中、
2021510641.tif 000205
は、それぞれ
2021510641.tif 000206
の最小値と最大値である。）
【請求項２】
前記中心視野角
2021510641.tif 000207
の少なくとも一部において、下記式１１で表される奥行き感パラメータ値δ１ｂが３以上である、請求項１に記載の装飾部材。
［式１１］
δ１ｂ＝｜Δｈ'｜ｍａｘ／Ｄｖ
（前記式１１中、｜Δｈ'｜ｍａｘは、下記式１２で表されるΔｈ'の最大値であり、
［式１２］
【数４】
2021510641.tif 000208
前記式１２中、Δｄ'は、下記式１３で表され、
［式１３］
2021510641.tif 000209
式１３中、
2021510641.tif 000210
はそれぞれ、前記探知手段が視野角
2021510641.tif 000211
で認識した前記装飾層上の一地点までの角輝度の差によって認識される距離であって、それぞれ下記式１４および式１５で表され、
［式１４］
【数５】
2021510641.tif 000212
［式１５］
【数６】
2021510641.tif 000213
前記式１４および式１５中、
2021510641.tif 000214
、および
2021510641.tif 000215
は、それぞれ視野角
2021510641.tif 000216
、および
2021510641.tif 000217
での角輝度である。）
【請求項３】
前記中心視野角
2021510641.tif 000218
の少なくとも一部において、下記式２１で表される奥行き感パラメータ値δ２が０．３以上である、請求項１に記載の装飾部材。
［式２１］
δ２＝｜Δｄ'｜ｍａｘ／Ｄｖ
（前記式２１中、
｜Δｄ'｜ｍａｘは、下記式１３で表されるΔｄ'の最大値であり、
［式１３］
2021510641.tif 000219
式１３中、
2021510641.tif 000220
はそれぞれ、前記探知手段が視野角
2021510641.tif 000221
で認識した前記装飾層上の一地点までの角輝度の差によって認識される距離であって、それぞれ下記式１４および式１５で表され、
［式１４］
【数７】
2021510641.tif 000222
［式１５］
【数８】
2021510641.tif 000223
前記式１４および式１５中、
2021510641.tif 000224
、および
2021510641.tif 000225
は、それぞれ視野角
2021510641.tif 000226
、および
2021510641.tif 000227
での角輝度である。）
【請求項４】
前記中心視野角
2021510641.tif 000228
中、
2021510641.tif 000229
による角輝度グラフの勾配を角輝度で除した値の絶対値が０．０２５以上である点が１つ以上存在し、この際、角度単位は°である、請求項１に記載の装飾部材。
【請求項５】
基材と、前記基材上に備えられた装飾層と、を含む装飾部材であって、
前記装飾層の面に垂直な方向をｘ軸、前記装飾層の面上の何れか一方向をｙ軸とし、３８０ｎｍ≦λ≦７８０ｎｍの波長のＤ６５標準光源の条件下で探知手段（ｄｅｔｅｃｔｏｒ）を用いて前記装飾層上のｙ軸の幅の中心点を探知する時に、前記探知手段の中心と、前記装飾層上のｙ軸の幅の中心点とを連結した線がｘ軸−ｙ軸の平面でｘ軸と成す中心視野角を
2021510641.tif 000230
とし、前記探知手段の中心から前記装飾層上のｙ軸方向の幅の中心点までの距離をＤｖとしたときに、前記中心視野角
2021510641.tif 000231
の少なくとも一部において、下記式２１で表される奥行き感パラメータ値δ２が０．３以上である、装飾部材。
［式２１］
δ２＝｜Δｄ'｜ｍａｘ／Ｄｖ
（前記式２１中、
｜Δｄ'｜ｍａｘは、下記式１３で表されるΔｄ'の最大値であり、
［式１３］
2021510641.tif 000232
式１３中、
2021510641.tif 000233
はそれぞれ、前記探知手段が視野角
2021510641.tif 000234
で認識した前記装飾層上の一地点までの角輝度の差によって認識される距離であって、それぞれ下記式１４および式１５で表され、
［式１４］
【数９】
2021510641.tif 000235
［式１５］
【数１０】
2021510641.tif 000236
前記式１４および式１５中、
2021510641.tif 000237
、および
2021510641.tif 000238
は、それぞれ視野角
2021510641.tif 000239
、および
2021510641.tif 000240
での角輝度である。）
【請求項６】
基材と、前記基材上に備えられた装飾層と、を含む装飾部材であって、
前記装飾層の面に垂直な方向をｘ軸、前記装飾層の面上の何れか一方向をｙ軸とし、３８０ｎｍ≦λ≦７８０ｎｍの波長のＤ６５標準光源の条件下で探知手段（ｄｅｔｅｃｔｏｒ）を用いて前記装飾層上のｙ軸方向の幅の中心点を探知する時に、前記探知手段の中心と、前記装飾層上のｙ軸方向の幅の中心点とを連結した線がｘ軸−ｙ軸の平面でｘ軸と成す中心視野角を
2021510641.tif 000241
としたときに、前記中心視野角
2021510641.tif 000242
中、
2021510641.tif 000243
による角輝度グラフの勾配を角輝度で除した値の絶対値が０．０２５以上である点が１つ以上存在し、この際、角度単位は°である、装飾部材。
【請求項７】
Ｄｖが５００ｍｍである、請求項１から６の何れか一項に記載の装飾部材。
【請求項８】
前記装飾層は、前記装飾層の全表面を２．５ｍｍ×２．５ｍｍのサイズの基準面積で分けたときに、各基準面積から放出される３８０ｎｍ≦λ≦７８０ｎｍの波長の光の角輝度が同一である、請求項７に記載の装飾部材。
【請求項９】
前記装飾層は、一次元に並べられるパターンを有し、前記パターンの一次元方向へのピッチが１ｍｍより小さい、請求項７に記載の装飾部材。
【請求項１０】
前記装飾層は、二次元に並べられるパターンを有し、前記パターンの二次元方向へのそれぞれのピッチが１ｍｍより小さい、請求項７に記載の装飾部材。
【請求項１１】
前記装飾層の上面の高さ差が１０μｍより大きく、２ｍｍより小さい、請求項７に記載の装飾部材。
【請求項１２】
前記装飾層は、前記基材上に備えられた光反射層を含むか、前記基材上に備えられた光吸収層を含むか、前記基材上に備えられた光反射層および前記光反射層上に備えられた光吸収層を含むか、前記基材上に備えられた光吸収層および前記光吸収層上に備えられた光反射層を含む、請求項７に記載の装飾部材。
【請求項１３】
前記光反射層または前記光吸収層は、厚さが異なる２以上の地点を含む、請求項１２に記載の装飾部材。
【請求項１４】
前記光反射層、前記光吸収層、または前記光反射層と前記光吸収層の積層構造は、ΔＥ＊ａｂ＞１の異色性を有する、請求項１２に記載の装飾部材。
【請求項１５】
前記光反射層または前記光吸収層は、４００ｎｍで屈折率が０〜８である、請求項１２に記載の装飾部材。
【請求項１６】
前記光反射層または前記光吸収層は、４００ｎｍで消衰係数が０超過４以下である、請求項１２に記載の装飾部材。
【請求項１７】
装飾フィルム、またはモバイル機器または電子製品のケースである、請求項１から６の何れか一項に記載の装飾部材。
【請求項１８】
装飾フィルムまたはモバイル機器のケースである、請求項１２に記載の装飾部材。
【発明の詳細な説明】
【技術分野】
【０００１】
本出願は、２０１８年１月８日付で韓国特許庁に提出された韓国特許出願第１０‐２０１８‐０００２２７８号の出願日の利益を主張し、その内容のすべては本明細書に組み込まれる。
【０００２】
本発明は、装飾部材およびその製造方法に関する。具体的に、本発明は、モバイル機器や電子製品に用いられるのに適した装飾部材およびその製造方法に関する。
【背景技術】
【０００３】
携帯電話、種々のモバイル機器、家電製品は、製品の機能以外にも、製品のデザイン、例えば、色相、形態、パターンなどが、顧客の製品の価値付与において大きな役割を果している。デザインによって、製品の選好度および価格も左右されている。
【０００４】
一例として、携帯電話の場合、様々な色相と色感を様々な方法により実現して製品に適用している。携帯電話のケース素材自体に色を付与する方式や、色と模様を実現した装飾フィルムをケース素材に付着してデザインを付与する方式が用いられている。
【０００５】
従来の装飾フィルムにおいて、色相の発現は、印刷、蒸着などの方法により実現しようとしていた。また、印刷や蒸着などの方法により、文字や画像を背景色と異なる色で表現していた。しかし、異種の色相を単一面に表現する場合には、２回以上印刷しなければならず、立体パターンに多様な色を加えようとする場合は、現実的に実現が困難であった。また、従来の装飾フィルムは、見る角度が変わっても色相が固定されており、やや変化があるとしても、色感差の程度に限定されていた。
【発明の概要】
【発明が解決しようとする課題】
【０００６】
本発明は、装飾部材から観察者の目までの実際の距離と、観察者が視覚的に感じる距離が異なり、装飾部材の物理的な表面構造と異なって奥行き感のある表面特性を感じることができる装飾部材を提供することをその目的とする。
【課題を解決するための手段】
【０００７】
本発明の一実施態様は、基材と、前記基材上に備えられた装飾層と、を含む装飾部材であって、前記装飾層の面に垂直な方向をｘ軸、前記装飾層の面上の何れか一方向をｙ軸とし、３８０ｎｍ≦λ≦７８０ｎｍの波長のＤ６５標準光源の条件下で探知手段（ｄｅｔｅｃｔｏｒ）を用いて前記装飾層上のｙ軸の幅の中心点を探知する時に、前記探知手段の中心と、前記装飾層上のｙ軸の幅の中心点とを連結した線がｘ軸−ｙ軸の平面でｘ軸と成す中心視野角を
2021510641.tif 000003
とし、前記探知手段の中心から前記装飾層上のｙ軸方向の幅の中心点までの距離をＤｖとしたときに、前記中心視野角
2021510641.tif 000004
の少なくとも一部において、下記式１で表される奥行き感パラメータ値δ１ｍが０．１５以上であることを特徴とする、装飾部材を提供する。
［式１］
δ１ｍ＝｜Δｈ｜ｍａｘ／Ｄｖ
前記式１中、｜Δｈ｜ｍａｘは、下記式２で表されるΔｈの最大値であり、
［式２］
【数１】
2021510641.tif 000005
前記式２中、Δｄは下記式３で表され、
［式３］
2021510641.tif 000006
式３中、
2021510641.tif 000007
は、前記探知手段の中心と、前記探知手段により探知される前記装飾層上のｙ軸上の一地点とを連結した線がｘ軸−ｙ軸の平面でｘ軸と成す視野角であり、
2021510641.tif 000008
は、それぞれ下記式４および式５で表され、
［式４］
【数２】
2021510641.tif 000009
［式５］
【数３】
2021510641.tif 000010
前記式４および式５中、
2021510641.tif 000011
は、それぞれ視野角
2021510641.tif 000012
での角輝度であり、
前記式２中、
2021510641.tif 000013
は、下記式６の範囲を満たし、
［式６］
2021510641.tif 000014
前記式６中、
2021510641.tif 000015
は、それぞれ
2021510641.tif 000016
の最小値と最大値である。
【０００８】
本発明の他の一実施態様は、上述の実施態様において、前記中心視野角
2021510641.tif 000017
の少なくとも一部において、下記式１１で表される奥行き感パラメータ値δ１ｂが３以上である装飾部材を提供する。
［式１１］
δ１ｂ＝｜Δｈ'｜ｍａｘ／Ｄｖ
前記式１１中、｜Δｈ'｜ｍａｘは、下記式１２で表されるΔｈ'の最大値であり、
［式１２］
【数４】
2021510641.tif 000018
前記式１２中、Δｄ'は、下記式１３で表され、
［式１３］
2021510641.tif 000019
式１３中、
2021510641.tif 000020
はそれぞれ、前記探知手段が視野角
2021510641.tif 000021
で認識した前記装飾層上の一地点までの角輝度の差によって認識される距離であって、それぞれ下記式１４および式１５で表され、
［式１４］
【数５】
2021510641.tif 000022
［式１５］
【数６】
2021510641.tif 000023
前記式１４および式１５中、
2021510641.tif 000024
、および
2021510641.tif 000025
は、それぞれ視野角
2021510641.tif 000026
での角輝度である。
【０００９】
本発明の他の一実施態様は、上述の実施態様において、前記中心視野角
2021510641.tif 000027
の少なくとも一部において、下記式２１で表される奥行き感パラメータ値δ２が０．３以上である装飾部材を提供する。
［式２１］
δ２＝｜Δｄ'｜ｍａｘ／Ｄｖ
前記式２１中、
｜Δｄ'｜ｍａｘにおいて、Δｄ'は、前記式１３で表される。
【００１０】
本発明の他の一実施態様は、上述の実施態様において、前記中心視野角
2021510641.tif 000028
中、
2021510641.tif 000029
値による角輝度グラフの勾配を角輝度で除した値の絶対値が０．０２５以上である点が１つ以上存在する、装飾部材を提供する。この際、角度単位は°とする。
【００１１】
本発明の他の一実施態様は、基材と、前記基材上に備えられた装飾層と、を含む装飾部材であって、前記装飾層の面に垂直な方向をｘ軸、前記装飾層の面上の何れか一方向をｙ軸とし、３８０ｎｍ≦λ≦７８０ｎｍの波長のＤ６５標準光源の条件下で探知手段（ｄｅｔｅｃｔｏｒ）を用いて前記装飾層上のｙ軸の幅の中心点を探知する時に、前記探知手段の中心と、前記装飾層上のｙ軸の幅の中心点とを連結した線がｘ軸−ｙ軸の平面でｘ軸と成す中心視野角を
2021510641.tif 000030
とし、前記探知手段の中心から前記装飾層上のｙ軸方向の幅の中心点までの距離をＤｖとしたときに、前記中心視野角
2021510641.tif 000031
の少なくとも一部において、下記式２１で表される奥行き感パラメータ値δ２が０．３以上であることを特徴とする、装飾部材を提供する。
［式２１］
δ２＝｜Δｄ'｜ｍａｘ／Ｄｖ
前記式２１中、
｜Δｄ'｜ｍａｘは、下記式１３で表されるΔｄ'の最大値である。
【００１２】
本発明の他の一実施態様は、基材と、前記基材上に備えられた装飾層と、を含む装飾部材であって、前記装飾層の面に垂直な方向をｘ軸、前記装飾層の面上の何れか一方向をｙ軸とし、３８０ｎｍ≦λ≦７８０ｎｍの波長のＤ６５標準光源の条件下で探知手段（ｄｅｔｅｃｔｏｒ）を用いて前記装飾層上のｙ軸方向の幅の中心点を探知する時に、前記探知手段の中心と、前記装飾層上のｙ軸方向の幅の中心点とを連結した線がｘ軸−ｙ軸の平面でｘ軸と成す中心視野角を
2021510641.tif 000032
としたときに、前記中心視野角
2021510641.tif 000033
中、
2021510641.tif 000034
値による角輝度グラフの勾配を角輝度で除した値の絶対値が０．０２５以上である点が１つ以上存在する、装飾部材を提供する。この際、角度単位は°とする。
【００１３】
本発明の他の一実施態様は、上述の実施態様において、前記装飾層が、前記基材上に備えられた光反射層を含むか、前記基材上に備えられた光吸収層を含むか、前記基材上に備えられた光反射層および前記光反射層上に備えられた光吸収層を含むか、前記基材上に備えられた光吸収層および前記光吸収層上に備えられた光反射層を含む、装飾部材を提供する。
【００１４】
本発明の他の一実施態様は、上述の実施態様において、前記装飾部材が、装飾フィルムまたはモバイル機器または電子製品のケースである装飾部材を提供する。
【発明の効果】
【００１５】
本明細書に記載の実施態様によると、装飾部材から探知手段までの実際の距離と、探知手段が視覚的に感じる距離が異なり、装飾部材の物理的な表面構造と異なって奥行き感のある表面特性を感じることができる装飾部材を提供しようとする。
【００１６】
特に、前記装飾部材の装飾層を、１層または２層以上の光反射層、および／または１層または２層以上の光吸収層を含む構造と形成することで、外部光が入射する時の入射経路と、反射する時の反射経路のそれぞれで光反射および／または光吸収がなされ、各表面で発生する反射光の間に強め合う干渉および弱め合う干渉現象が生じる。上記のような入射経路と反射経路における光吸収と、強め合う干渉および弱め合う干渉の現象により、特定の色相が発現されることができる。また、発現される色相は厚さ依存性を有しているため、同じ物質構成を有する場合にも、その厚さによって色相を変化させることができる。したがって、同一面で、光反射層および／または光吸収層が厚さの異なる２以上の地点または領域を有するようにする場合、複数の色相発現が可能であり、立体パターンに色発現層を形成することで、立体パターンに種々の色相を実現することができる。
【図面の簡単な説明】
【００１７】
【図１】本発明の一実施態様に係る装飾部材の積層構造を例示した図である。
【図２】本発明の一実施態様に係る装飾部材の装飾層上のｙ軸、およびｙ軸の幅の中心点の位置を例示した図である。
【図３】本発明の一実施態様に係る装飾部材の奥行き感パラメータ値δ１ｍの計算模式図を示した図である。
【図４】本発明の一実施態様に係る装飾部材の視野角による角輝度分布を示した図である。
【図５】本発明の一実施態様に係る装飾部材の奥行き感パラメータ値を計算時に、｜Δｈ｜ｍａｘの計算模式図を示した図である。
【図６】本発明の一実施態様に係る装飾部材の奥行き感パラメータ値の計算時に、｜Δｄ'｜ｍａｘを示したグラフである。
【図７】本発明の一実施態様に係る装飾部材の奥行き感パラメータ値の計算時に、｜Δｈ｜ｍａｘを示したグラフである。
【図８】フィルムの種類毎の、視野角による奥行き感パラメータ値δ１ｍを示した図である。
【図９】（ａ）は、フィルムの種類毎の視野角による角輝度分布を示した図であり、（ｂ）は、前記角輝度分布の勾配を角輝度で除した値を示した図である。
【図１０】本発明の一実施態様に係る装飾部材の、２つの目による奥行き感パラメータ値δ１ｂの計算模式図を示した図である。
【図１１】フィルムの種類毎の、視野角による奥行き感パラメータ値δ１ｂを示した図である。
【図１２】本発明の一実施態様に係る装飾部材の、２つの目による奥行き感パラメータ値δ２の計算時に、｜Δｄ'｜ｍａｘの計算模式図を示した図である。
【図１３】光反射層および光吸収層の構造での色相発現の作用原理を説明するための模式図である。
【図１４】本発明の実施態様に係る装飾部材の積層構造を例示した図である。
【図１５】本発明の実施態様に係る装飾部材の積層構造を例示した図である。
【図１６】本発明の実施態様に係る装飾部材の積層構造を例示した図である。
【図１７】本発明の実施態様に係る装飾部材の積層構造を例示した図である。
【図１８】本発明の実施態様に係る装飾部材の光吸収層の上面の構造を例示した図である。
【図１９】本発明の実施態様に係る装飾部材の光吸収層の上面の構造を例示した図である。
【図２０】本発明の実施態様に係る装飾部材の光吸収層の上面の構造を例示した図である。
【図２１】光吸収層の上面に実現可能なパターンを例示した図である。
【図２２】光吸収層の厚さによって、色相が異なって発現されることを示した図である。
【図２３】光吸収層の厚さによって、色相が異なって発現されることを示した図である。
【図２４】光吸収層の厚さによって、色相が異なって発現されることを示した図である。
【図２５】フィルムの種類毎の、視野角による奥行き感パラメータ値δ２を示した図である。
【図２６】本発明のいくつの実施態様に係る装飾部材の積層構造を例示した図である。
【図２７】実施例５で使用した非対称プリズムフィルムの角輝度を示した図である。
【図２８】実施例５で使用した非対称プリズムフィルムの角輝度を示した図である。
【図２９】実施例６で使用した非対称プリズムフィルムの角輝度を示した図である。
【図３０】実施例６で使用した非対称プリズムフィルムの角輝度を示した図である。
【図３１】光吸収層および光反射層について示した図である。
【図３２】パターン構造について示した図である。
【図３３】パターン構造について示した図である。
【図３４】パターン構造について示した図である。
【図３５】パターン構造について示した図である。
【図３６】パターン構造について示した図である。
【図３７】パターン構造について示した図である。
【図３８】パターン構造について示した図である。
【図３９】パターン構造について示した図である。
【図４０】パターン構造について示した図である。
【図４１】パターン構造について示した図である。
【図４２】パターン構造について示した図である。
【図４３】パターン構造について示した図である。
【図４４】パターン構造について示した図である。
【図４５】パターン構造について示した図である。
【発明を実施するための形態】
【００１８】
以下で、本発明を詳細に説明する。
【００１９】
本明細書において、「点」または「地点」とは、面積を有しない１つの位置を意味する。本明細書では、観察者により観察される特定位置を表示するために、または、光反射層または光吸収層の厚さが互いに異なる地点が２以上存在するという点を示すために、上記の表現が用いられる。
【００２０】
本明細書において、「領域」とは、一定面積を有する部分を表現する。例えば、前記装飾部材を地面におき、地面に垂直な方向に前記装飾部材の上面上で閉鎖区間を区画した時に、区画された閉鎖区間の前記装飾部材の上面の面積を意味する。
【００２１】
本明細書において、「面」または「領域」は、平面であってもよいが、これに限定されず、全部または一部が曲面であってもよい。例えば、垂直断面の形態が、円や楕円の弧の一部、波構造、ジグザグなどである構造が含まれ得る。
【００２２】
本明細書において、「傾斜面」とは、前記装飾部材を地面においた時に、地面を基準として上面が成す角度が０度超過９０度以下である面を意味する。
【００２３】
本明細書において、ある層の「厚さ」とは、該当層の下面から上面までの最短距離を意味する。
【００２４】
本明細書において、「または」とは、他に定義しない限り、挙げられたものなどを選択的にまたは全て含む場合、すなわち、「および／または」の意味を表す。
【００２５】
本明細書において、「層」とは、該当層が存在する面積を７０％以上覆っているものを意味する。好ましくは７５％以上、より好ましくは８０％以上覆っているものを意味する。
【００２６】
本発明の一実施態様は、基材と、前記基材上に備えられた装飾層と、を含む装飾部材であって、前記装飾層の面に垂直な方向をｘ軸、前記装飾層の面上の何れか一方向をｙ軸とし、３８０ｎｍ≦λ≦７８０ｎｍの波長のＤ６５標準光源の条件下で探知手段（ｄｅｔｅｃｔｏｒ）を用いて前記装飾層上のｙ軸の幅の中心点を探知する時に、前記探知手段の中心と、前記装飾層上のｙ軸の幅の中心点とを連結した線がｘ軸−ｙ軸の平面でｘ軸と成す中心視野角を
2021510641.tif 000035
とし、前記探知手段の中心から前記装飾層上のｙ軸方向の幅の中心点までの距離をＤｖとしたときに、前記中心視野角
2021510641.tif 000036
の少なくとも一部において、下記式１で表される奥行き感パラメータ値δ１ｍが０．１５以上であることを特徴とする、装飾部材を提供する。
［式１］
δ１ｍ＝｜Δｈ｜ｍａｘ／Ｄｖ
前記式１中、｜Δｈ｜ｍａｘは、下記式２で表されるΔｈの最大値であり、
［式２］
【数７】
2021510641.tif 000037
前記式２中、Δｄは、下記式３で表され、
［式３］
2021510641.tif 000038
式３中、
2021510641.tif 000039
は、前記探知手段の中心と、前記探知手段により探知される前記装飾層上のｙ軸上の一地点とを連結した線がｘ軸−ｙ軸の平面でｘ軸と成す視野角であり、
2021510641.tif 000040
は、それぞれ下記式４および式５で表され、
［式４］
【数８】
2021510641.tif 000041
［式５］
【数９】
2021510641.tif 000042
前記式４および式５中、
2021510641.tif 000043
は、それぞれ視野角
2021510641.tif 000044
での角輝度であり、
前記式２中、
2021510641.tif 000045
は、下記式６の範囲を満たし、
［式６］
2021510641.tif 000046
前記式６中、
2021510641.tif 000047
は、それぞれ
2021510641.tif 000048
の最小値と最大値である。
【００２７】
本明細書において、＋ｙ軸とは、前記探知手段が装飾層を見る方向において、ｙ軸の幅の中心点を基準として右側を＋、左側を−とすることができるため、前記中心点の右側ｙ軸を意味する。どの方向を＋とし、どの方向を−とするかは重要ではないが、本明細書では混同を避けるために、中心点の右側を＋ｙ軸と定義する。すなわち、前記ｘ軸−ｙ軸の平面は、ｘ軸−（＋ｙ）軸平面と、ｘ軸−（−ｙ軸）平面から構成されている。
【００２８】
本明細書において、前記
2021510641.tif 000049
が正数である場合、これは、前記探知手段の中心と、前記装飾層上のｙ軸の幅の中心点とを連結した線が、ｘ軸−（＋ｙ）軸平面に存在することを意味する。これに対し、前記
2021510641.tif 000050
が負数である場合、これは、前記探知手段の中心と、前記装飾層上のｙ軸の幅の中心点とを連結した線が、ｘ軸−（−ｙ）軸平面に存在することを意味する。
【００２９】
図１および図２に、本発明の一実施態様に係る装飾部材の側面構造および上面構造をそれぞれ例示した。図１は、基材と装飾層が積層された側面構造を例示しており、この際、装飾層に垂直な方向がｘ軸である。図２は、装飾部材の装飾層側を示した図であって、装飾層の面内の何れか１つの方向をｙ軸と表示することができる。ｙ軸は図２に例示した方向に限定されず、様々な方向から選択されることができる。
【００３０】
一例によると、ｙ軸は、前記装飾層の縁のうち最も長い辺に水平または垂直な方向であることができる。
【００３１】
他の一例によると、ｙ軸は、前記装飾層の縁のうち最も長い辺に垂直な方向、例えば、図２の第１の図のｙ軸であることができる。
【００３２】
前記ｙ軸の幅の中心点とは、図２で赤色点で示したように、ｙ軸の両端部から等しい距離にある点を意味する。
【００３３】
前記探知手段とは、装飾部材の形態および色相を視覚的に認知できるものであれば特に限定されず、人の目や、それと同様の役割を果たすことができる装置であることができる。
【００３４】
図３に、本発明の一実施態様に係る装飾部材の奥行き感パラメータ値δ１ｍを測定するための模式図を示した。図３において、前記装飾層の面に垂直な方向をｘ軸、前記装飾層の面上の何れか一方向の幅方向をｙ軸、前記装飾層の面上で、前記ｙ軸に垂直な幅方向をｚ軸（すなわち、ｚ軸はｘ軸およびｙ軸の両方に垂直である）と言う。ここで、ｙ軸方向の前記装飾層の幅をｄｆとする。前記ｙ軸方向の装飾層の幅とは、ｙ軸の両端部間の距離を意味する。一例によると、ｄｆは前記装飾層の最短幅であることができる。例えば、前記装飾層が長方形状である場合、長方形の短い辺側の幅をｄｆとすることができる。以下で、探知手段の中心と、探知手段により探知される装飾層上の一地点とを連結した線が＋ｚ軸と成す角をθ、ｘ−ｙ平面でｘ軸と成す角を
2021510641.tif 000051
と言及することができる。
【００３５】
図３のように、探知手段から距離Ｄｖだけ離れている装飾部材の装飾層の表面の座標（０，ｙ，ｚ）地点から放出される波長がλである光の
2021510641.tif 000052
方向の角輝度（ａｎｇｕｌａｒ  ｌｕｍｉｎａｎｃｅ）を
2021510641.tif 000053
としたときに、探知手段の中心位置は
2021510641.tif 000054
にあり、この地点と（０，ｙ，ｚ）とを連結する線の方向への角輝度が
2021510641.tif 000055
になる。この際の視野角は
2021510641.tif 000056
である。
【００３６】
上述の実施態様では、ｚ軸方向への中心視野角θｖを特定値、例えば、θｖ＝９０°に固定し、角
2021510641.tif 000057
による奥行き感パラメータ値δ１ｍを定義した。
【００３７】
前記実施態様において、前記中心視野角
2021510641.tif 000058
の少なくとも一部において、前記式１で表される奥行き感パラメータ値δ１ｍが、０．１５以上である。このように奥行き感パラメータ値を満たす場合、装飾部材の物理的な表面構造の有無および種類にかかわらず、奥行き感のある表面特性を感じることができる。
【００３８】
前記式２中、Δｄは、前記探知手段により、視野角
2021510641.tif 000059
を有する装飾層の領域における目の解像度による最大視野角
2021510641.tif 000060
において角
2021510641.tif 000061
方向への角輝度の差によって認識される距離と、最小視野角
2021510641.tif 000062
において角
2021510641.tif 000063
方向への角輝度の差によって認識される距離との差（Δｄ）であって、下記式Ａで表されることができる。
［式Ａ］
2021510641.tif 000064
前記式Ａ中、
2021510641.tif 000065
は、角
2021510641.tif 000066
方向への探知手段の解像度である。
【００３９】
目の解像度は、探知手段が２個以上の点を区分することができる能力を意味し、探知手段が人の目である場合、人によってやや変わり得るが、前記式１の値は、角解像度、すなわち、角分解能が小さくなるほど、特定値に収束するように定義されており、１°以内の角解像度では大きく変化しない。したがって、前記式３では、角解像度
2021510641.tif 000067
を０．３°と指定した。
【００４０】
前記式３中、
2021510641.tif 000068
はそれぞれ、前記探知手段が視野角
2021510641.tif 000069
で探知する前記装飾層上の一地点までの角輝度の差によって認識される距離である。
【００４１】
前記式４および式５中、
2021510641.tif 000070
は、それぞれ視野角
2021510641.tif 000071
での角輝度である。角輝度は、入射光Ｄ６５光源の波長３８０ｎｍ≦λ≦７８０ｎｍで、５ｎｍ間隔あるいはそれ以下で反射測定または光学シミュレーションにより計算されることができる。反射測定は、島津社のＳｏｌｉｄＳｐｅｃ−３７００、コニカミノルタのＣＭ−２６００ｄ、ＣＭ−Ｍ６などを用いて測定してもよく、ハロゲンランプ（ｈａｌｏｇｅｎ  ｌａｍｐ）、モノクロメータ（ｍｏｎｏｃｈｒｏｍａｔｏｒ）、およびゴニオメータ（Ｇｏｎｉｏｍｅｔｅｒ）を用いて測定してもよい。光学シミュレーションは、入射光がＤ６５標準光源である時にパターンで反射される角度毎の反射光を、３８０ｎｍ≦λ≦７８０ｎｍの波長で５ｎｍ間隔あるいはそれ以下で計算することができる。また、角度毎の反射光は、
2021510641.tif 000072
の角度で５°間隔あるいはそれ以下で計算することができる。
【００４２】
上記条件を満たす角輝度が均一な装飾部材の表面から放出される波長がλである光の
2021510641.tif 000073
方向の角輝度を
2021510641.tif 000074
とし、視野角を
2021510641.tif 000075
に固定した時に、探知手段の中心を基準として
2021510641.tif 000076
方向にある装飾部材の装飾層の表面地点までの距離をｒとすると、ｒは次の式Ｂおよび式Ｃにより得ることができる。
［式Ｂ］
2021510641.tif 000077
【００４３】
前記式Ｂから、下記式Ｃを導出することができる。
［式Ｃ］
【数１０】
2021510641.tif 000078
【００４４】
前記式Ｂおよび式Ｃと同様の方法により、前記式４および式５を導出した。
【００４５】
この際、ｒは、実際の距離ではなく、角輝度の差によって感じられる距離である。
【００４６】
視野角
2021510641.tif 000079
を中心とし、４つの点
2021510641.tif 000080
、および
2021510641.tif 000081
を頂点とする平面上の四角形の
2021510641.tif 000082
方向の高さ差は、次のように表現することができる。下記式Ｄは、角θ方向の高さ差であり、下記式Ｅは角
2021510641.tif 000083
方向の高さ差である。
［式Ｄ］
2021510641.tif 000084
［式Ｅ］
2021510641.tif 000085
【００４７】
視野角がθｅである装飾部材の一地点において、θ方向の表面勾配は、下記式Ｆを満たし、視野角が
2021510641.tif 000086
である装飾部材の一地点において、
2021510641.tif 000087
方向の表面勾配は、下記式Ｇを満たす。
［式Ｆ］
Δｄ／Ｄｖ  ｓｉｎθｅ  Δ（θｅ）＝δｒ／Ｄｖ  ｓｉｎθｅ  δ（θｅ）
［式Ｇ］
2021510641.tif 000088
【００４８】
式Ｆは、装飾部材の表面の一地点の実際の表面勾配ではなく、角輝度の差によって感じられるθ方向の表面勾配を表し、式Ｇは、装飾部材の表面の一地点の実際の表面勾配ではなく、角輝度の差によって感じられる
2021510641.tif 000089
方向の表面勾配を表す。
【００４９】
θ方向への中心視野角（θｖ）が９０°である時に、
2021510641.tif 000090
方向への視野角
2021510641.tif 000091
による角輝度の分布の例を図４に示した。
【００５０】
装飾部材の表面のそれぞれの位置、すなわち、図３の赤色四角形で示した領域の高さ差Δｄは、式Ｄおよび式Ｅにより計算されることができる。前記装飾層のｙ方向の幅がｄｆであり、装飾部材の中心と、目などの探知装置（ｄｅｔｅｃｔｏｒ）の中心とを連結する中心視野角を
2021510641.tif 000092
に固定させた場合、装飾部材の前記装飾層表面上の
2021510641.tif 000093
方向の視野角
2021510641.tif 000094
の範囲は、下記式Ｈのように表されることができる。
［式Ｈ］
2021510641.tif 000095
【００５１】
前記式６は、上述の探知手段の角解像度
2021510641.tif 000096
を０．３°と指定したときに、ｙ軸方向の幅ｄｆ、および探知手段と装飾層との間の距離Ｄｖを考慮して、視野角
2021510641.tif 000097
の最大値と最小値を求めたものである。この際、ｄｆは、装飾層のｙ軸方向の幅と定義したが、本発明では、装飾層の実際の幅がｄｆではなく、ｄｆより大きい場合にも、幅がｄｆである領域での物性を示すことができ、ｄｆよりやや小さい場合にも、上述の奥行き感パラメータ物性を示すことができる。例えば、ｄｆを１００ｍｍとしたときに、装飾層のｙ軸方向の幅が１００ｍｍよりも大きい場合には、少なくとも幅が１００ｍｍである領域では、上述の奥行き感パラメータ値を満たして示すことができる特性を有する。１００ｍｍは、人の目のような探知手段の通常の視野角またはモバイル機器の幅を考慮したものである。
【００５２】
Ｄｖ＝５００ｍｍであり、
2021510641.tif 000098
であるときに、図４のような角輝度分布を有する装飾部材のΔｄおよびΔｈは、それぞれ図６および図７のように表されることができる。図５は、｜Δｈ｜ｍａｘが表す意味を示す模式図である。
【００５３】
図３の装飾部材の装飾層の表面から放出される角輝度が、前記装飾層の表面位置（ｙ、ｚ）値にかかわらず一定な条件は、下記のように提示されることができる。前記装飾層は、前記装飾層の全表面を２．５ｍｍ×２．５ｍｍのサイズの基準面積に分けたときに、各基準面積から放出される波長λである光の角輝度が同一であると、下記のような条件を有することができる。下記条件は、上述の実施態様および後述の実施態様で適用可能である。
（１）前記装飾層は一次元に並べられるパターンを有し、前記パターンの一次元方向へのピッチは１ｍｍより小さい。
（２）前記装飾層は二次元に並べられるパターンを有し、前記パターンの二次元方向へのそれぞれのピッチは１ｍｍより小さい。
【００５４】
前記一次元に並べられるパターンとしては、プリズムとレンチキュラパターンのように、一方向（一次元）に繰り返される構造を含むパターンが挙げられ、前記二次元に並べられるパターンとしては、マイクロレンズアレイ（ｍｉｃｒｏｌｅｎｓ  ａｒｒａｙ）のように、二方向（二次元）に繰り返される構造を含むパターンが挙げられるが、これらにのみ限定されるものではない。
【００５５】
Ｄｖ＝５００ｍｍであることができる。Ｄｖは、人の目のような探知手段が事物を識別して見る距離を考慮したものである。
【００５６】
一実施態様によると、前記装飾層の上面の高さ差が１０μｍより大きく、２ｍｍより小さい。
【００５７】
一実施態様によると、前記中心視野角
2021510641.tif 000099
において、前記式１で表される奥行き感パラメータ値δ１ｍが０．１５以上である。
【００５８】
本発明の他の一実施態様は、上述の実施態様の装飾部材において、前記中心視野角
2021510641.tif 000100
の少なくとも一部において、下記式１１で表される奥行き感パラメータ値δ１ｂが３以上である装飾部材を提供する。
［式１１］
δ１ｂ＝｜Δｈ'｜ｍａｘ／Ｄｖ
前記式１１中、｜Δｈ'｜ｍａｘは、下記式１２で表されるΔｈ'の最大値であり、
［式１２］
【数１１】
2021510641.tif 000101
前記式１２中、Δｄ'は、下記式１３で表され、
［式１３］
2021510641.tif 000102
式１３中、
2021510641.tif 000103
はそれぞれ、前記探知手段が視野角
2021510641.tif 000104
および
2021510641.tif 000105
で認識した前記装飾層上の一地点までの角輝度の差によって認識される距離であって、それぞれ下記式１４および式１５で表され、
［式１４］
【数１２】
2021510641.tif 000106
［式１５］
【数１３】
2021510641.tif 000107
前記式１４および式１５中、
2021510641.tif 000108
、および
2021510641.tif 000109
は、それぞれ視野角
2021510641.tif 000110
、および
2021510641.tif 000111
での角輝度である。
【００５９】
前記Δｄ'は、装飾部材上において特定の中心視野角
2021510641.tif 000112
で認識される最大高さ差である。
【００６０】
角θ方向への高さ差は下記式Ｊで表され、角
2021510641.tif 000113
方向への高さ差は下記式Ｋで表され、
［式Ｊ］
2021510641.tif 000114
［式Ｋ］
2021510641.tif 000115
式Ｊおよび式Ｋ中、
θｄおよび
2021510641.tif 000116
はそれぞれ、角θ方向および角
2021510641.tif 000117
方向への左目と右目の視野角の差であり、
2021510641.tif 000118
は、θおよび
2021510641.tif 000119
方向に発生する角輝度差によって右目が感じる距離であり、
2021510641.tif 000120
は、θおよび
2021510641.tif 000121
方向に発生する角輝度差によって左目が感じる距離である。
【００６１】
前記式１１による奥行き感パラメータ値δ１ｂは、Ｄｖ＝５００ｍｍであり、
2021510641.tif 000122
である場合に、探知手段が人の２つの目である場合の特性を反映したものである。この際、平均的な人の２つの目間の距離を考慮して、前記式１３では、
【数１４】
2021510641.tif 000123
を５０ｍｍと指定する。
【００６２】
２つの目による奥行き感パラメータ値δ１ｂを導出するための模式図を、図１０に例示した。
前記探知手段が人の２つの目である際に、装飾部材の表面の一地点と、２つの目の中心とを連結した線がｚ軸と成す角を視野角θｅ、ｘ軸−ｙ軸の平面でｘ軸と成す角を視野角
2021510641.tif 000124
と定義し、θｄは、左目と右目のθ方向の視野角の差であり、
2021510641.tif 000125
を左目と右目の
2021510641.tif 000126
方向の視野角の差と定義すると、下記式Ｌおよび式Ｍで表されることができる。
［式Ｌ］
【数１５】
2021510641.tif 000127
［式Ｍ］
【数１６】
2021510641.tif 000128
前記式Ｌおよび式Ｍ中、
【数１７】
2021510641.tif 000129
は、左目の中心と右目の中心とを連結するベクトルであり、
【数１８】
2021510641.tif 000130
は、ｚ軸方向の単位ベクトルである。
【００６３】
左目と右目の中心の視野角を
2021510641.tif 000131
とすると、左目の視野角
【数１９】
2021510641.tif 000132
であり、右目の視野角
【数２０】
2021510641.tif 000133
である。左目と右目が感じるフィルム表面（０，ｙ，ｚ）地点までの距離をｒｌ，ｒとすると、ｒｌ，ｒは次のように表される。
［式Ｎ］
【数２１】
2021510641.tif 000134
［式Ｏ］
【数２２】
2021510641.tif 000135
【００６４】
視野角
2021510641.tif 000136
を中心とし、４つの点
2021510641.tif 000137
を頂点とする平面上の領域の
2021510641.tif 000138
方向の高さ差Δｄ'は、それぞれ式Ｐおよび式Ｑで表されることができる。
［式Ｐ］
【数２３】
2021510641.tif 000139
［式Ｑ］
【数２４】
2021510641.tif 000140
【００６５】
視野角がθｅである装飾部材の一地点において、θ方向の表面勾配は下記式Ｒを満たし、視野角が
2021510641.tif 000141
である装飾部材の一地点において、
2021510641.tif 000142
方向の表面勾配は下記式Ｓを満たす。
［式Ｒ］
【数２５】
2021510641.tif 000143
［式Ｓ］
【数２６】
2021510641.tif 000144
【００６６】
式Ｒは、装飾部材の表面の一地点の実際の表面勾配ではなく、角輝度の差によって感じられるθ方向の表面勾配を表し、式Ｓは、装飾部材の表面の一地点の実際の表面勾配ではなく、角輝度の差によって感じられる
2021510641.tif 000145
方向の表面勾配を表す。
【００６７】
式１１による奥行き感パラメータ値δ１ｂは、
2021510641.tif 000146
である際に、探知手段の角解像度
2021510641.tif 000147
の代わりに
2021510641.tif 000148
を導入したことを除き、奥行き感パラメータ値δ１ｍについての上述の実施態様の説明が適用可能である。
【００６８】
前記
2021510641.tif 000149
の少なくとも一部において、下記式１１で表される奥行き感パラメータ値δ１ｂが３以上である場合、装飾層の物理的な表面特性ではない、奥行き感のある表面特性を得ることができる。
【００６９】
本発明の他の一実施態様は、上述の実施態様において、前記中心視野角
2021510641.tif 000150
の少なくとも一部において、下記式２１で表される奥行き感パラメータ値δ２が０．３以上である、装飾部材を提供する。
［式２１］
δ２＝｜Δｄ'｜ｍａｘ／Ｄｖ
前記式２１中、
｜Δｄ'｜ｍａｘは、前記式１３で表されるΔｄ'の最大値である。
｜Δｄ'｜ｍａｘは、探知手段により探知される前記装飾層のｙ軸上の点での角輝度差による距離差の最大値である。前記式２１において、｜Δｄ'｜ｍａｘの意味を示す模式図を図１２に示した。前記
2021510641.tif 000151
の少なくとも一部において、下記式２１で表される奥行き感パラメータ値δ２が０．３以上である場合、装飾層の物理的な表面特性ではない、奥行き感のある表面特性を得ることができる。
【００７０】
本発明の他の一実施態様は、上述の実施態様の装飾部材において、前記中心視野角
2021510641.tif 000152
中、
2021510641.tif 000153
による角輝度グラフの勾配を角輝度で除した値の絶対値が０．０２５以上である点が１つ以上存在する、装飾部材を提供する。この際、角度単位は°とする。この場合、装飾層の物理的な表面特性ではない、奥行き感のある表面特性を得ることができる。
【００７１】
本発明の他の一実施態様は、基材と、前記基材上に備えられた装飾層と、を含む装飾部材であって、前記装飾層の面に垂直な方向をｘ軸、前記装飾層の面上の何れか一方向をｙ軸とし、３８０ｎｍ≦λ≦７８０ｎｍの波長のＤ６５標準光源の条件下で探知手段（ｄｅｔｅｃｔｏｒ）を用いて前記装飾層上のｙ軸の幅の中心点を探知する時に、前記探知手段の中心と、前記装飾層上のｙ軸の幅の中心点とを連結した線がｘ軸−ｙ軸の平面でｘ軸と成す中心視野角を
2021510641.tif 000154
とし、前記探知手段の中心から前記装飾層上のｙ軸方向の幅の中心点までの距離をＤｖとしたときに、前記中心視野角
2021510641.tif 000155
の少なくとも一部において、前記式２１で表される奥行き感パラメータ値δ２が０．３以上であることを特徴とする、装飾部材を提供する。ここで、
2021510641.tif 000156
は、前記式６の範囲を満たすことができる。このような装飾部材は、装飾層の物理的な表面特性ではない、奥行き感のある表面特性を有することができる。
【００７２】
本発明の他の一実施態様は、基材と、前記基材上に備えられた装飾層と、を含む装飾部材であって、前記装飾層の面に垂直な方向をｘ軸、前記装飾層の面上の何れか一方向をｙ軸とし、３８０ｎｍ≦λ≦７８０ｎｍの波長のＤ６５標準光源の条件下で探知手段（ｄｅｔｅｃｔｏｒ）を用いて前記装飾層上のｙ軸方向の幅の中心点を探知する時に、前記探知手段の中心と、前記装飾層上のｙ軸方向の幅の中心点とを連結した線がｘ軸−ｙ軸の平面でｘ軸と成す中心視野角を
2021510641.tif 000157
としたときに、前記中心視野角
2021510641.tif 000158
中、
2021510641.tif 000159
による角輝度グラフの勾配を角輝度で除した値の絶対値が０．０２５以上である点が１つ以上存在する、装飾部材を提供する。この際、角度単位は°とする。このような装飾部材は、装飾層の物理的な表面特性ではない、奥行き感のある表面特性を有することができる。
【００７３】
さらなる実施態様によると、上述の実施態様において、前記装飾層は、前記基材上に備えられた光反射層を含むか、前記基材上に備えられた光吸収層を含むか、前記基材上に備えられた光反射層および前記光反射層上に備えられた光吸収層を含むか、前記基材上に備えられた光吸収層および前記光吸収層上に備えられた光反射層を含むことができる。図２６に、装飾層の構造を例示した。
【００７４】
本発明の他の一実施態様によると、前記光反射層または光吸収層は、厚さが異なる２以上の地点を含むことを特徴とする。
【００７５】
本発明の他の一実施態様によると、前記光反射層または前記光吸収層は、厚さが異なる２以上の領域を含むことを特徴とする装飾部材を提供する。
【００７６】
一例において、前記装飾層が光反射層と光吸収層の積層構造を含む場合、光吸収層では、光の入射経路および反射経路で光吸収がなされ、また、光は光吸収層の表面、および光吸収層と光反射層との界面でそれぞれ反射し、２つの反射光が強め合う干渉または弱め合う干渉をすることになる。本明細書において、光吸収層の表面で反射される光は表面反射光、光吸収層と光反射層との界面で反射される光は界面反射光と表現されることができる。図１３に、このような作用原理の模式図を示した。図１３には、基材１０１、光反射層２０１、および光吸収層３０１が順に積層された構造を示しており、光反射層の下部に基材が位置しているが、必須のものではない。
【００７７】
図３１を参照して、光吸収層と光反射層について説明する。図３１の装飾部材には、光が入って来る方向を基準として、各層（ｌａｙｅｒ）がＬｉ−１層、Ｌｉ層、およびＬｉ＋１層の順に積層されており、Ｌｉ−１層とＬｉ層との間に界面（ｉｎｔｅｒｆａｃｅ）Ｉｉが位置し、Ｌｉ層とＬｉ＋１層との間に界面Ｉｉ＋１が位置する。
【００７８】
薄膜干渉が起こらないように、各層に垂直な方向に特定波長を有する光を照射した時に、界面Ｉｉでの反射率を、下記数学式１で表することができる。
［数学式１］
【数２７】
2021510641.tif 000160
前記数学式１中、ｎｉ（λ）は、ｉ番目の層の波長（λ）による屈折率を意味し、ｋｉ（λ）は、ｉ番目の層の波長（λ）による消衰係数（ｅｘｔｉｎｃｔｉｏｎ  ｃｏｅｆｆｉｃｉｅｎｔ）を意味する。消衰係数は、特定波長で対象物質が光をどれくらい強く吸収するかを定義する尺度であって、定義は後述のとおりである。
【００７９】
前記数学式１を適用し、各波長で計算された界面Ｉｉでの波長毎の反射率の和をＲｉとしたときに、Ｒｉは下記の数学式２のとおりである。
［数学式２］
【数２８】
2021510641.tif 000161
【００８０】
前記実施態様に係る構造の例示を図１４および図１５に示した。図１４および図１５において、光反射層２０１上に光吸収層３０１が備えられ、光吸収層は、互いに異なる厚さを有する２以上の地点を有する。図１４によると、Ａ地点とＢ地点での光吸収層３０１の厚さが異なる。図１５によると、Ｃ領域とＤ領域での光吸収層３０１の厚さが異なる。
【００８１】
本出願の他の一実施態様によると、前記光吸収層は、上面が、傾斜角が０度超過９０度以下の傾斜面を有する領域を１つ以上含み、前記光吸収層は、何れか１つの傾斜面を有する領域での厚さと異なる厚さを有する領域を１つ以上含む。
【００８２】
前記光反射層の上面の傾斜度のような表面特性は、前記光吸収層の上面と同一であることができる。例えば、光吸収層の形成時に蒸着方法を利用することで、光吸収層の上面が、光反射層の上面と同一の傾斜度を有することができる。
【００８３】
図１６に、上面が傾斜面を有する光吸収層を含む装飾部材の構造を例示した。基材１０１、光反射層２０１、および光吸収層３０１が積層された構造であって、光吸収層３０１のＥ領域での厚さｔ１とＦ領域での厚さｔ２が異なる。
【００８４】
図１６は、互いに向かい合う傾斜面、すなわち、断面が三角形である構造を有する光吸収層に関する。図１６のように、互いに向かい合う傾斜面を有するパターンの構造では、同一の条件で蒸着を行っても、三角形構造の２つの面で光吸収層の厚さが異なる。したがって、１回の工程だけで、厚さが異なる２以上の領域を有する光吸収層を形成することができる。これにより、光吸収層の厚さによって発現色相が異なることになる。この際、光反射層の厚さが一定以上であると、色相の変化に影響を与えない。
【００８５】
本発明の他の一実施態様によると、前記光吸収層は、厚さが次第に変わる領域を１つ以上含む。図１４によると、光吸収層の厚さが次第に変わる構造を例示されている。
【００８６】
本発明の他の一実施態様によると、前記光吸収層は、上面が、傾斜角が０度超過９０度以下の傾斜面を有する領域を１つ以上含み、少なくとも１つの傾斜面を有する領域は、光吸収層の厚さが次第に変わる構造を有する。図１７に、上面が傾斜面を有する領域を含む光吸収層の構造を例示した。図１７のＧ領域とＨ領域は、両方とも光吸収層の上面が傾斜面を有し、光吸収層の厚さが次第に変わる構造を有する。
【００８７】
一例によると、前記光反射層または前記光吸収層は、傾斜角が１度〜９０度の範囲内である第１傾斜面を有する第１領域を含み、上面が、前記第１傾斜面と傾斜方向が異なるか傾斜角が異なる傾斜面を有するか、上面が水平である第２領域をさらに含むことができる。この際、前記第１領域と前記第２領域で、光反射層または光吸収層の厚さが互いに異なることができる。
【００８８】
他の一例によると、前記光反射層または光吸収層は、傾斜角が１度〜９０度の範囲内である第１傾斜面を有する第１領域を含み、上面が、前記第１傾斜面と傾斜方向が異なるか傾斜角が異なる傾斜面を有するか、上面が水平である２つ以上の領域をさらに含むことができる。この際、前記第１領域および前記２つ以上の領域での光反射層または光吸収層の厚さは、何れも互いに異なることができる。
【００８９】
本発明の他の一実施態様によると、前記光反射層または光吸収層が非対称構造のパターンを含むことができる。本明細書において、非対称構造とは、上面、側面、または断面で観察した時に、少なくとも１つの面で非対称構造を有することを意味する。このように非対称構造を有する場合、前記装飾部材は異色性を発現することができる。異色性とは、見る角度によって異なる色相が観測されることを意味する。
【００９０】
色の表現はＣＩＥ  Ｌａｂで表現可能であり、色差は、Ｌａｂ空間での距離（ΔＥ＊ａｂ）を利用して定義されることができる。具体的に、
【数２９】
2021510641.tif 000162
であり、０＜ΔＥ＊ａｂ＜１の範囲内では、観察者が色差を認識することができない［参考文献：Ｍａｃｈｉｎｅ  Ｇｒａｐｈｉｃｓ  ａｎｄ  Ｖｉｓｉｏｎ  ２０（４）：３８３−４１１］。したがって、本明細書では、異色性をΔＥ＊ａｂ＞１と定義することができる。
【００９１】
本明細書の一実施態様において、前記光反射層、前記光吸収層、または前記光反射層と前記光吸収層の積層構造は、ΔＥ＊ａｂ＞１の異色性を有することができる。
【００９２】
本明細書の一実施態様において、前記装飾部材は、ΔＥ＊ａｂ＞１の異色性を有することができる。
【００９３】
本出願の他の一実施態様によると、前記光吸収層がパターンを含む場合、前記パターンは、対称構造、非対称構造、またはこれらの組み合わせであってもよい。
【００９４】
一例によると、前記光吸収層は対称構造のパターンをさらに含むことができる。対称構造としては、プリズム構造、レンチキュラレンズ構造などが含まれる。
【００９５】
本出願の他の一実施態様によると、前記光吸収層が非対称構造のパターンを含むことができる。
【００９６】
本明細書の一実施態様において、前記光吸収層は、非対称構造の断面を有する凸部または凹部形状を含む。
【００９７】
本明細書の一実施態様において、前記光吸収層は、非対称構造の断面を有する凸部形状を含む。
【００９８】
本明細書の一実施態様において、前記光吸収層は、非対称構造の断面を有する凹部形状を含む。
【００９９】
本明細書の一実施態様において、前記光吸収層は、非対称構造の断面を有する凸部形状および非対称構造の断面を有する凹部形状を含む。
【０１００】
本明細書において、「断面」とは、前記凸部または凹部を何れか一方向に切断した時の面を意味する。例えば、断面とは、前記装飾部材を地面上においたときに、前記地面に平行な方向または地面に垂直な方向に、前記凸部または凹部を切断した時の面を意味し得る。前記実施態様に係る装飾部材の光吸収層の凸部または凹部形状の表面は、地面に垂直な方向の断面の少なくとも１つが非対称構造を有することを特徴とする。
【０１０１】
本明細書において、「非対称構造の断面」とは、断面の縁で構成された図形が、線対称性または点対称性を有しない構造であることを意味する。線対称性とは、ある図形を、一直線を中心に対称させたときに重なり合う特性を有することを意味する。点対称性とは、ある図形を、一点を基準として１８０度回転したときに、本来の図形に完全に重なり合う対称性を有することを意味する。ここで、前記非対称構造の断面の縁は、直線、曲線、またはこれらの組み合わせであってもよい。
【０１０２】
本明細書の一実施態様において、前記非対称構造の断面を有する凸部または凹部形状は、少なくとも１つの断面が、傾斜角が異なるか、屈曲度が異なるか、辺の形態が異なる２以上の辺を含む。例えば、少なくとも１つの断面を構成する辺のうち２つの辺が、互いに傾斜角が異なるか、屈曲度が異なるか、辺の形態が異なる場合に、前記凸部または凹部は非対称構造を有することになる。
【０１０３】
上記のように、光吸収層の表面に含まれる非対称構造の断面を有する凸部または凹部により、前記装飾部材が異色性を発現することができる。異色性とは、見る角度によって異なる色相が観測されることを意味する。色の表現は、ＣＩＥ  Ｌ＊ａ＊ｂ＊で表現可能であり、色差は、Ｌ＊ａ＊ｂ＊空間での距離（△Ｅ＊ａｂ）を利用して定義されることができる。具体的に、色差は
【数３０】
2021510641.tif 000163
であり、０＜△Ｅ＊ａｂ＜１の範囲内では、観察者が色差を認識することができない［参考文献：Ｍａｃｈｉｎｅ  Ｇｒａｐｈｉｃｓ  ａｎｄ  Ｖｉｓｉｏｎ  ２０（４）：３８３−４１１］。したがって、本明細書では、異色性を△Ｅ＊ａｂ＞１と定義することができる。
【０１０４】
本明細書の一実施態様において、前記装飾部材は、△Ｅ＊ａｂ＞１の異色性を有する。具体的に、前記装飾部材の全体で、色座標ＣＩＥ  Ｌ＊ａ＊ｂ＊におけるＬ＊ａ＊ｂ＊の空間での距離である色差△Ｅ＊ａｂが１を超えることができる。
【０１０５】
本明細書の一実施態様において、前記色発現層は、△Ｅ＊ａｂ＞１の異色性を有する。具体的に、前記色発現層の色座標ＣＩＥ  Ｌ＊ａ＊ｂ＊におけるＬ＊ａ＊ｂ＊の空間での距離である色差△Ｅ＊ａｂが１を超えることができる。
【０１０６】
本明細書の一実施態様において、前記非対称構造の断面を有する凸部または凹部形状は、少なくとも１つの断面が、傾斜角が異なるか、屈曲度が異なるか、辺の形態が異なる２以上の辺を含む。例えば、少なくとも１つの断面を構成する辺のうち２つの辺が、互いに傾斜角が異なるか、屈曲度が異なるか、辺の形態が異なる場合に、前記凸部または凹部は非対称構造を有することになる。
【０１０７】
本明細書の一実施態様において、前記凸部または凹部の形状は、傾斜角が互いに異なる第１傾斜面および第２傾斜面を含む。
【０１０８】
本明細書の一実施態様において、前記凸部または凹部の形状は、少なくとも１つの断面が、傾斜角が互いに異なる第１傾斜辺および第２傾斜辺を含む。前記第１傾斜辺および第２傾斜辺の形態は互いに同一でも異なってもよく、それぞれ直線状または曲線状である。
【０１０９】
本明細書の一実施態様において、前記非対称構造の断面の縁は、直線、曲線、またはこれらの組み合わせである。
【０１１０】
図３２は、前記第１傾斜辺および前記第２傾斜辺の形態が直線状であるものを示す図である。各凸部形状は、第１傾斜辺を含む第１領域Ｄ１と、第２傾斜辺を含む第２領域Ｄ２と、を含む。前記第１傾斜辺および第２傾斜辺は直線状である。第１傾斜辺と第２傾斜辺が成す角度ｃ３は、７５度〜１０５度であることができる。第１傾斜辺と地面（基材）が成す角度ｃ１と、第２傾斜辺と地面が成す角度ｃ２は異なる。例えば、ｃ１およびｃ２の組み合わせは、２０度／８０度、１０度／７０度、または３０度／７０度であることができる。
【０１１１】
図３３は、第１傾斜辺または第２傾斜辺の形態が曲線状であるものを示す図である。光吸収層の断面は凸部形状を有し、凸部形状の断面は、第１傾斜辺を含む第１領域Ｅ１と、第２傾斜辺を含む第２領域Ｅ２と、を含む。前記第１傾斜辺および第２傾斜辺の何れか１つ以上は、曲線状であることができる。例えば、第１傾斜辺と第２傾斜辺の両方が曲線状であってもよく、第１傾斜辺は直線状であり、第２傾斜辺は曲線状であってもよい。第１傾斜辺は直線状であり、第２傾斜辺は曲線状である場合、角度ｃ１が角度ｃ２より大きくすることができる。図３３には、第１傾斜辺が直線状であり、第２傾斜辺が曲線状であるものを示している。曲線状を有する傾斜辺が地面と成す角度は、傾斜辺と地面が当接する地点から、第１傾斜辺と第２傾斜辺が接する地点まで任意の直線を引いたときに、その直線と地面が成す角度から計算されることができる。曲線状の第２傾斜辺は、光吸収層の高さによって屈曲度が異なり、曲線が曲率半径を有することができる。前記曲率半径は、凸部形状の幅（Ｅ１＋Ｅ２）の１０倍以下であることができる。図３３の（ａ）は、曲線の曲率半径が凸部形状の幅の２倍であることを示したものであり、図３３の（ｂ）は、曲線の曲率半径が凸部形状の幅の１倍であることを示したものである。凸部の幅（Ｅ１＋Ｅ２）に対する、曲率のある部分（Ｅ２）の割合は、９０％以下であることができる。図３３の（ａ）および（ｂ）には、前記凸部の幅（Ｅ１＋Ｅ２）に対する、曲率のある部分（Ｅ２）の割合が６０％であることを示している。
【０１１２】
本明細書において、前記傾斜辺の傾斜角は、前記傾斜面の傾斜角と同様に取り扱われることができる。
【０１１３】
本明細書において、他に言及しない限り、「辺」は直線であってもよいが、これに限定されず、全部または一部が曲線であってもよい。例えば、辺は、円や楕円の弧の一部、波構造、ジグザグなどの構造を含み得る。
【０１１４】
本明細書において、前記辺が円や楕円の弧の一部を含む場合、その円や楕円は、曲率半径を有することができる。前記曲率半径は、曲線の極めて短い区間を円弧に換算したときに、円弧の半径と定義されることができる。
【０１１５】
本明細書において、凸部の傾斜角は、凸部の傾斜面と光吸収層の水平面が成す角度を意味し得る。本明細書において特に言及しない限り、図面上において第１傾斜面は、凸部の左側傾斜面と定義することができ、第２傾斜面は、凸部の右側傾斜面を意味し得る。
【０１１６】
本明細書において、他に言及しない限り、「傾斜辺」は、前記装飾部材を地面においたときに、地面に対して辺が成す角度が０度超過９０度以下である辺を意味する。この際、辺が直線である場合は、直線と地面が成す角度を測定することができる。辺に曲線が含まれている場合は、前記装飾部材を地面においたときに、前記辺のうち地面と最も近い地点と、前記面のうち地面から最も遠い地点とを最短距離で連結した直線が地面と成す角度を測定することができる。
【０１１７】
本明細書において、他に言及しない限り、「傾斜面」は、前記装飾部材を地面においたときに、地面に対して面が成す角度が０度超過９０度以下である面を意味する。この際、面が平面である場合は、平面と地面が成す角度を測定することができる。面に曲面が含まれている場合は、前記装飾部材を地面においたときに、前記面のうち地面と最も近い地点と、前記面のうち地面から最も遠い地点とを最短距離で連結した直線が地面と成す角度を測定することができる。
【０１１８】
本明細書において、他に言及しない限り、「傾斜角」とは、前記装飾部材を地面においたときに、前記光吸収層を構成する面または辺が地面と成す角度であって、０度超過９０度以下である。または、光吸収層を構成する面または辺が地面に接する地点（ａ'）と、光吸収層を構成する面または辺が地面から最も遠く離れた地点（ｂ'）とを互いに連結したときに生じる線分（ａ'−ｂ'）と地面が成す角度を意味し得る。
【０１１９】
本明細書において、他に言及しない限り、「屈曲度」とは、辺または面の連続した地点での接線の勾配の変化程度を意味する。辺または面の連続した地点での接線の勾配の変化が大きいほど、屈曲度が大きい。
【０１２０】
本明細書において、前記凸部は凸部単位体形状であり、前記凹部は凹部単位体形状であることができる。前記凸部単位体形状または凹部単位体形状は、２つの傾斜辺（第１傾斜辺および第２傾斜辺）を含む形状を意味し、３つ以上の傾斜辺を含む形状ではない。図３６を参照すると、円Ｃ１の凸部Ｐ１は、第１傾斜辺および第２傾斜辺を含む１つの凸部単位体形状である。しかし、円Ｃ２に含まれる形状は、凸部単位体形状を２つ含むものである。前記第１傾斜辺は、それぞれ凸部または凹部の左側傾斜辺と定義することができ、前記第２傾斜辺は、それぞれ凸部または凹部の右側傾斜辺を意味し得る。
【０１２１】
本明細書の一実施態様において、前記第１傾斜面と第２傾斜面が成す角度は、８０度〜１００度の範囲内であることができる。前記角度は、具体的に、８０度以上、８３度以上、８６度以上、または８９度以上であり、１００度以下、９７度以下、９４度以下、または９１度以下であることができる。前記角度は、第１傾斜面と第２傾斜面からなる頂点の角度を意味し得る。前記第１傾斜面と第２傾斜面が互いに頂点を成さない場合は、前記第１傾斜面と第２傾斜面を仮想で延ばして頂点を成すようにした状態の頂点の角度を意味し得る。
【０１２２】
本明細書の一実施態様において、前記凸部の第１傾斜面の傾斜角と第２傾斜面の傾斜角との差は、３０度〜７０度の範囲内であることができる。前記第１傾斜面の傾斜角と第２傾斜面の傾斜角との差は、例えば、３０度以上、３５度以上、４０度以上、または４５度以上であり、７０度以下、６５度以下、６０度以下、または５５度以下であることができる。第１傾斜面と第２傾斜面の傾斜角の差が前記範囲内である場合、方向による色表現の実現の点から有利である。すなわち、傾斜辺の傾斜角の差が前記範囲内である場合、第１傾斜辺および第２傾斜辺にそれぞれ形成された光吸収層の厚さが異なることになり、これにより、同一の方向から装飾部材を見た時に、異色性がさらに大きくなることができる（下記表１参照）。
【０１２３】
【表１】
2021510641.tif 000164
【０１２４】
本明細書の一実施態様において、前記凸部または凹部形状の断面は、三角形または四角形の多角形の形態であることができる。図３４は、前記凸部形状が四角形の形態であるものを示した図である。前記四角形の形態は、一般的な四角形の形態であることができ、各傾斜辺の傾斜角が互いに異なるものであれば、特に制限されない。前記四角形の形態は、三角形の一部を切断して残った形態であることができる。例えば、一対の対辺が平行な四角形である台形、または互いに平行な対辺の対が存在しない四角形の形態であることができる。凸部形状は、第１傾斜辺を含む第１領域Ｆ１と、第２傾斜辺を含む第２領域Ｆ３と、第３傾斜辺を含む第３領域Ｆ２と、を含む。第３傾斜辺は、地面に平行であってもよく、平行ではなくてもよい。例えば、四角形の形態が台形である場合、第３傾斜辺は地面に平行である。第１傾斜辺〜第３傾斜辺の何れか１つ以上は曲線状であることができ、曲線状についての内容は上述のとおりである。Ｆ１＋Ｆ２＋Ｆ３を全て合わせた長さが、凸部形状のピッチと定義されることができ、ピッチについての内容は上述のとおりである。
【０１２５】
図３７は、凸部形状の形態を決定する方法を示した図である。例えば、凸部形状は、ＡＢＯ１三角形状の特定領域を除去した形態であることができる。前記除去される特定領域を決定する方法は、下記のとおりである。傾斜角ｃ１およびｃ２についての内容は上述のとおりである。
【０１２６】
１）ＡＯ１線分をＬ１：Ｌ２の割合で分ける、ＡＯ１線分上の任意の点Ｐ１を設定する。
２）ＢＯ１線分をｍ１：ｍ２の割合で分ける、ＢＯ１線分上の任意の点Ｐ２を設定する。
３）ＡＢ線分をｎ１：ｎ２の割合で分ける、ＡＢ線分上の任意の点Ｏ２を設定する。
４）Ｏ２Ｏ１線分をｏ１：ｏ２の割合で分ける、Ｏ１Ｏ２線分上の任意の点Ｐ３を設定する。
この際、Ｌ１：Ｌ２、ｍ１：ｍ２、ｎ１：ｎ２、およびｏ１：ｏ２の割合は、互いに同一でも異なってもよく、それぞれ独立に、１：１０００〜１０００：１であることができる。
５）Ｐ１Ｏ１Ｐ２Ｐ３多角形が成す領域を除去する。
６）ＡＢＰ２Ｐ３Ｐ１多角形が成す形状を凸部の断面とする。
【０１２７】
前記凸部形状は、Ｌ１：Ｌ２、ｍ１：ｍ２、ｎ１：ｎ２、およびｏ１：ｏ２の割合を調節することで、種々の形態に変形可能である。例えば、前記Ｌ１およびｍ１が大きくなる場合、パターンの高さが高くなり、前記ｏ１が大きくなる場合は、凸部上に形成される凹部の高さが小さくなり、ｎ１の割合を調節することで、凸部に形成される凹部の最低地点の位置を、凸部の傾斜辺の何れか一方に近いように調節することができる。
【０１２８】
前記Ｌ１：Ｌ２、ｍ１：ｍ２、およびｏ１：ｏ２の割合が全て同一である場合、断面の形状が台形の形態であることができる（図３８）。台形の高さｈａ、ｈｂは、前記Ｌ１：Ｌ２の割合を調節することで変わり得る。例えば、図３８の（ａ）は、前記Ｌ１：Ｌ２の割合とｍ１：ｍ２の割合が２：３、図３８（ｂ）は、前記Ｌ１：Ｌ２の割合とｍ１：ｍ２の割合が１：１であり、ｍ１：ｍ２の割合が１：１であり、ｏ１：ｏ２の割合が１：８である場合に製造される凸部形状を示した図である。
【０１２９】
本明細書の一実施態様において、前記凸部または凹部形状は、前記凸部または凹部形状を２以上含む。このように２以上の凸部または凹部形状を有することで、異色性をさらに大きくすることができる。この際、２以上の凸部または凹部形状は、同一の形状が繰り返された形態であってもよいが、互いに異なる形状が含まれてもよい。それらを図３９〜図４１に示した。
【０１３０】
図３９は、２以上の互いに異なる凸部形状が交互に配列されたものを示す。前記凸部Ｐ１の間に、前記凸部に比べて高さが小さい第２凸部Ｐ２が配置されている形状を有することができる。以下、第２凸部の前に説明された凸部を、第１凸部と称することができる。
【０１３１】
図４０は、２以上の凸部形状の間に凹部が含まれていることを示す。前記光吸収層の表面は、前記凸部Ｐ１の先端部（尖っている部分）に、前記凸部に比べて高さが小さい凹部Ｐ３をさらに含む形状を有することができる。このような装飾部材は、画像の色が、見る角度によって繊細に変わる効果を奏することができる。
【０１３２】
図４１は、各形状が逆像の構造で配列されたものである。このように、前記光吸収層は凸部または凹部形状を含み、各形状が逆像の構造で配列されたものであることができる。
【０１３３】
具体的に、図４１の（ａ）に示したように、前記光吸収層の表面は、複数の凸部が１８０度の逆像の構造で配列された形状を有することができる。具体的に、前記光吸収層の表面は、第１傾斜面に比べて第２傾斜面の傾斜角が大きい第１領域Ｃ１と、第１傾斜面に比べて第２傾斜面の傾斜角が大きい第２領域Ｃ２と、を含むことができる。１つの例示として、前記第１領域に含まれる凸部を第１凸部Ｐ１と称し、前記第２領域に含まれる凸部を第４凸部Ｐ４と称することができる。前記第１凸部Ｐ１および第４凸部Ｐ４の高さ、幅、傾斜角、および第１および第２傾斜面が成す角度は、前記凸部Ｐ１の項目で述べた内容が同様に適用可能である。
【０１３４】
図４１の（ｂ）に示したように、前記第１領域および第２領域の何れか１つの領域は画像またはロゴに対応し、他の１つの領域は背景部分に対応するように構成することができる。かかる装飾部材は、画像またはロゴの色が、見る角度によって繊細に変わる効果を奏することができる。また、画像またはロゴ部分と背景部分が、見る方向によって色が互いに変わって見える装飾効果を奏することができる。
【０１３５】
前記第１領域および第２領域は、それぞれ複数の凸部を含むことができる。前記第１領域および第２領域の幅および凸部の個数は、目的とする画像またはロゴの大きさを考慮して適宜調節可能である。
【０１３６】
本明細書の一実施態様において、前記光吸収層は、２以上の凸部形状を含み、各凸部形状の間の一部または全部に、平坦部をさらに含むことができる。
【０１３７】
図３５によると、光吸収層の各凸部の間に平坦部を含むことができる。前記平坦部は、凸部が存在しない領域を意味する。光吸収層が平坦部をさらに含むことを除き、それ以外の構成要素（Ｄ１、Ｄ２、ｃ１、ｃ２、ｃ３、第１傾斜辺、および第２傾斜辺）についての説明は上述のとおりである。一方、Ｄ１＋Ｄ２＋Ｇ１を全て合わせた長さが、パターンのピッチと定義されるが、上述のパターンの幅とは異なる。
【０１３８】
前記凸部Ｐ１の高さＨ１は、５μｍ〜３０μｍであることができる。凸部の高さが前記範囲内である場合、生産工程の点から有利である。本明細書において、凸部の高さは、前記光吸収層の水平面を基準として凸部の最も高い部分と最も低い部分との最短距離を意味し得る。この凸部の高さについての説明は、上述の凹部の深さにも同様の数値範囲が適用可能である。
【０１３９】
前記凸部Ｐ１の幅Ｗ１は、１０μｍ〜９０μｍであることができる。凸部の幅が前記範囲内である場合、パターンを加工および形成するにおける工程の点から有利である。前記凸部Ｐ１の幅Ｗ１は、例えば、１０μｍ以上、１５μｍ以上、２０μｍ以上、または２５μｍ以上であり、９０μｍ以下、８０μｍ以下、７０μｍ以下、６０μｍ以下、５０μｍ以下、４０μｍ以下、または３５μｍ以下であることができる。この幅についての説明は、凸部だけでなく、上述の凹部にも適用可能である。
【０１４０】
前記凸部Ｐ１の間の間隔は、０μｍ〜２０μｍであることができる。本明細書において、凸部の間の間隔は、隣接する２つの凸部において、１つの凸部が終わる地点と、他の１つの凸部が始まる地点との最短距離を意味し得る。前記凸部の間の間隔が適切に保持される場合、装飾部材を凸部の傾斜角がより大きい傾斜面の方から見た時に、相対的に明るい色を示さなければならないのに、反射領域がシェーディングにより暗く見える現象を改善することができる。前記凸部の間には、後述のように、前記凸部に比べて高さがより小さい第２凸部が存在することができる。この間隔についての説明は、凸部だけでなく、上述の凹部にも適用可能である。
【０１４１】
前記第２凸部Ｐ２の高さＨ２は、前記第１凸部Ｐ１の高さＨ１の１／５〜１／４の範囲を有することができる。例えば、前記第１凸部と第２凸部の高さの差（Ｈ１−Ｈ２）は、１０μｍ〜３０μｍであることができる。第２凸部の幅Ｗ２は、１μｍ〜１０μｍであることができる。前記第２凸部の幅Ｗ２は、具体的に、１μｍ以上、２μｍ以上、３μｍ以上、４μｍ以上、または４．５μｍ以上であり、１０μｍ以下、９μｍ以下、８μｍ以下、７μｍ以下、６μｍ以下、または５．５μｍ以下であることができる。
【０１４２】
本明細書の一実施態様において、前記第２凸部は、傾斜角が互いに異なる２つの傾斜面Ｓ３、Ｓ４を有することができる。前記第２凸部の前記２つの傾斜面が成す角度ａ４は、２０度〜１００度であることができる。前記角度ａ４は、具体的に、２０度以上、３０度以上、４０度以上、５０度以上、６０度以上、７０度以上、８０度以上、または８５度以上であり、１００度以下または９５度以下であることができる。前記第２凸部の両傾斜面の傾斜角の差（ａ６−ａ５）は、０度〜６０度であることができる。前記傾斜角の差（ａ６−ａ５）は、０度以上、１０度以上、２０度以上、３０度以上、４０度以上、または４５度以上であり、６０度以下または５５度以下であることができる。前記第２凸部の寸法が前記範囲内である場合、傾斜面の角度が大きい側面で光の流入を増加させ、明るい色相を形成することができるという点から有利である。
【０１４３】
本明細書の一実施態様において、前記凹部Ｐ３の高さＨ３は，３μｍ〜１５μｍであることができる。前記凹部Ｐ３の高さＨ３は、具体的に、３μｍ以上であり、１５μｍ以下、１０μｍ以下、５μｍ以下であることができる。前記凹部は、傾斜角が互いに異なる２つの傾斜面Ｓ５、Ｓ６を有することができる。前記凹部の前記２つの傾斜面が成す角度ａ７は、２０度〜１００度であることができる。前記角度ａ７は、具体的に、２０度以上、３０度以上、４０度以上、５０度以上、６０度以上、７０度以上、８０度以上、または８５度以上であり、１００度以下または９５度以下であることができる。前記凹部の両傾斜面の傾斜角の差（ａ９−ａ８）は、０度〜６０度であることができる。前記傾斜角の差（ａ９−ａ８）は、０度以上、１０度以上、２０度以上、３０度以上、４０度以上、または４５度以上であり、６０度以下または５５度以下であることができる。前記凹部の寸法が前記範囲内である場合、鏡面で色感の追加が可能であるという点から有利である。
【０１４４】
一例によると、前記光反射層または光吸収層は、上面がコーン（ｃｏｎｅ）状の突出部または溝部を有するパターンを含む。コーン状は、円錐、楕円錐、または多角錐の形態を含む。ここで、多角錐の底面の形態としては、三角形、四角形、突出点が５個以上の星状などが挙げられる。前記コーン状は、光反射層または光吸収層の上面に形成された突出部の形態であってもよく、光吸収層の上面に形成された溝部の形態であってもよい。前記突出部は断面が三角形であり、前記溝部は断面が逆三角形の形態である。光反射層または光吸収層の下面も、光吸収層の上面と同一の形態を有することができる。
【０１４５】
一例によると、前記コーン状のパターンは非対称構造を有することができる。例えば、前記コーン状のパターンを上面から観察した時に、コーンの頂点を基準として３６０度回転時に、同一の形態が３つ以上存在する場合には、前記パターンから異色性が発現されにくい。しかし、前記コーン状のパターンを上面から観察した時に、コーンの頂点を基準として３６０度回転時に同一の形態が２つ以下存在する場合に、異色性が発現されることができる。図１８はコーン状の上面を示した図であって、（ａ）は何れも対称構造のコーン状を示した図であり、（ｂ）は非対称構造のコーン状を例示した図である。
【０１４６】
対称構造のコーン状は、コーン状の底面が円であるか、各辺の長さが等しい正多角形であり、コーンの頂点が、底面の重心点の垂直線上に存在する構造である。しかし、非対称構造のコーン状は、それを上面から観察した時に、コーンの頂点の位置が、底面の重心点ではない点の垂直線上に存在する構造であるか、底面が非対称構造の多角形または楕円である構造である。底面が非対称構造の多角形である場合は、多角形の辺または角の少なくとも１つを、残りと異なるように設計することができる。
【０１４７】
例えば、図１９のように、コーンの頂点の位置を変更することができる。具体的に、図１９の第１の図のように、上面から観察した時に、コーンの頂点を底面の重心点Ｏ１の垂直線上に位置するように設計する場合、コーンの頂点を基準として３６０度回転時に、４つの同一の構造を得ることができる（４  ｆｏｌｄ  ｓｙｍｍｅｔｒｙ）。しかし、コーンの頂点を底面の重心点Ｏ１ではない位置Ｏ２に設計することで、対称構造が破れる。底面の一辺の長さをｘ、コーンの頂点の移動距離をａおよびｂ、コーンの頂点（Ｏ１またはＯ２）から底面まで垂直に連結した線の長さであるコーン状の高さをｈ、底面とコーンの側面が成す角度をθｎとしたときに、図１９の面１、面２、面３、および面４について、下記のようにコサイン値が得られる。
【数３１】
2021510641.tif 000165
【０１４８】
この際、θ１とθ２は同一であるため異色性がない。しかし、θ３とθ４は異なり、│θ３−θ４│は二つの色間の色差（Ｅ＊ａｂ）を意味するため、異色性を示すことができる。ここで、│θ３−θ４│＞０である。このように、コーンの底面と側面が成す角度を利用して、対称構造がどれくらい破れているか、すなわち、非対称の程度を定量的に示すことができる。このような非対称の程度を示す数値は、異色性の色差に比例する。
【０１４９】
他の一例によると、前記光吸収層または光吸収層は、最高点が線状の突出部、または最低点が線状の溝部を有するパターンを含む。前記線状は直線状であってもよく、曲線状であってもよく、曲線と直線の両方を含んでもよい。線状の突出部または溝部を有するパターンを上面から観察した時に、上面の重心点を基準として３６０度回転時に同一の形態が２つ以上存在する場合には、異色性を発現しにくい。しかし、線状の突出部または溝部を有するパターンを上面から観察した時に、上面の重心点を基準として３６０度回転時に同一の形態が１つしか存在しない場合には、異色性を発現することができる。図２０は、線状の突出部を有するパターンの上面を示した図であって、ａ）は、異色性を発現しない線状の突出部を有するパターンを例示した図であり、ｂ）は、異色性を発現する線状の突出部を有するパターンを例示した図である。図２０のａ）のＸ−Ｘ'断面は二等辺三角形または正三角形であり、図２０のｂ）のＹ−Ｙ'断面は側辺の長さが互いに異なる三角形である。
【０１５０】
他の一例によると、前記光吸収層または光吸収層は、上面が、コーン状の上面が切断された構造の突出部または溝部を有するパターンを含む。このようなパターンの断面は、台形または逆台形の形態であることができる。この場合にも、上面、側面、または断面が非対称構造を有するように設計することで、異色性を発現することができる。
【０１５１】
上記で例示した構造の他にも、図２１のような様々な突出部または溝部パターンを実現することができる。
【０１５２】
本明細書の一実施態様において、前記光吸収層は、最高点が線状の凸部形状、または最低点が線状の凹部形状の表面を有する。前記線状は、直線状であってもよく、曲線状であってもよく、曲線と直線の両方を含む形態や、ジグザグ形態であってもよい。これらを図４２〜図４５に示した。最高点が線状である凸部、または最低点が線状である凹部の形状の表面を、前記凸部または凹部形状の表面側から観察した時に、前記凸部または凹部の地面に対する水平断面の重心点を基準として３６０度回転時に、同一の形態が１つしか存在しない場合、異色性を発現するにおいて有利である。
【０１５３】
本明細書の一実施態様において、前記光吸収層は、コーン状の先端部が切断された構造の凸部または凹部形状の表面を有する。図４５に、装飾部材を地面においたときに、地面に垂直な断面が非対称である逆台形の凹部を実現した写真を示している。このような非対称断面は、台形または逆台形の形態であることができる。この場合にも、非対称構造の断面により異色性を発現することができる。
【０１５４】
前記光吸収層は、屈折率（ｎ）、消衰係数（ｋ）、および厚さ（ｔ）によって種々の色相が実現可能である。図２２は、光吸収層の厚さによる、波長毎の反射率を示した図であり、図２３は、これにより実現した色相を示した図である。具体的に、図２３は、ＣｕＯ／ＣｕのＣｕＯ蒸着厚さ毎の反射率シミュレーショングラフであり、同一の蒸着条件で、ＣｕＯの厚さを１０〜６０ｎｍに変更しながら作成した資料である。
【０１５５】
図２４は、視野角度によって異なる色相が観察されることを示すシミュレーション結果である。図２４は、ＣｕＯＮ／Ａｌのシミュレーション結果である。図２４では、光吸収層の厚さを１０ｎｍから１０ｎｍまで１０ｎｍずつ増加させ、入射角を０度から６０度まで１５度間隔で調整している。このようなシミュレーション結果から、本出願の実施態様に係る構造で、光吸収層の厚さおよび上面の傾斜角を調整することで、種々の色相を実現することができることが分かる。
【０１５６】
図２４のＡ１〜Ａ５のＬ＊ａ＊ｂ＊座標値はそれぞれ（９１，３，５）であり、Ｂ１〜Ｂ５のＬ＊ａ＊ｂ＊座標値はそれぞれ（７４，１４，８）、（７４，１４，８）、（７２，１５，１０）、（６９，１５，１１）、（６６，１６，１３）であり、Ｃ１〜Ｃ５のＬ＊ａ＊ｂ＊座標値はそれぞれ（４６，２２，−１１）、（４５，２２，−１０）、（４３，２５，−９）、（４０，２８，−４）、（４２，３０，６）であり、Ｄ１〜Ｄ５のＬ＊ａ＊ｂ＊座標値はそれぞれ（３６，−１２，−２２）、（３５，−１１，−２３）、（３０，−７，−２４）、（２０，６，−２６）、（１８，３８，−１２）であり、Ｅ１〜Ｅ５のＬ＊ａ＊ｂ＊座標値はそれぞれ（４９，−２０，−７）、（４８，−２０，−７）、（４３，−２０，−８）、（３４，−１８，３９）、（１８，７，−１０）であり、Ｆ１〜Ｆ５のＬ＊ａ＊ｂ＊座標値はそれぞれ（６０，−１０，４）、（５９，−１０，４）、（５５，−１１，４）、（４７，−１１，４）、（３１，−４，３）であり、Ｇ１〜Ｇ５のＬ＊ａ＊ｂ＊座標値はそれぞれ（６６，−４，１０）、（６５，−４，１０）、（６２，−４，１０）、（５４，−５，１１）、（４０，−２，１０）であり、Ｈ１〜Ｈ５のＬ＊ａ＊ｂ＊座標値はそれぞれ（６９，１，１１）、（６８，１，１２）、（６４，１，１３）、（５８，１，１４）、（４４，２，１３）であり、Ｉ１〜Ｉ５のＬ＊ａ＊ｂ＊座標値はそれぞれ（６８，５，１１）、（６７，５，１１）、（６４，５，１２）、（５８，６，１４）、（４１，７，１４）であり、Ｊ１〜Ｊ５のＬ＊ａ＊ｂ＊座標値はそれぞれ（６６，８，８）、（６５，８，８）、（６２，８，１０）、（５６，９，１１）、（４３，１１，１１）である。
【０１５７】
前記光反射層としては、光を反射することができる材料であれば特に限定されないが、光反射率は材料によって決定され、例えば、５０％以上で色相実現が容易である。光反射率はエリプソメータ（ｅｌｌｉｐｓｏｍｅｔｅｒ）を用いて測定することができる。
【０１５８】
前記光吸収層は、４００ｎｍで屈折率（ｎ）が０〜８であることが好ましく、０〜７であってもよく、０．０１〜３であってもよく、２〜２．５であってもよい。屈折率（ｎ）は、ｓｉｎ  θ１／ｓｉｎ  θ２（θ１は、光吸収層の表面から入射される光の角であり、θ２は、光吸収層の内部での光の屈折角である）により計算されることができる。
【０１５９】
前記光吸収層は、３８０〜７８０ｎｍで屈折率（ｎ）が０〜８であることが好ましく、０〜７であってもよく、０．０１〜３であってもよく、２〜２．５であってもよい。
【０１６０】
前記光吸収層は、４００ｎｍで消衰係数（ｋ）が０超過４以下であり、０．０１〜４であることが好ましく、０．０１〜３．５であってもよく、０．０１〜３であってもよく、０．１〜１であってもよい。消衰係数（ｋ）は、−λ／（４πＩ）（ｄＩ／ｄｘ）（ここで、光吸収層内で経路単位長さ（ｄｘ）、例えば、１ｍ当たりの光の強度の減少分率ｄＩ／Ｉにλ／４πを乗じた値であり、この際、λは光の波長である。
【０１６１】
前記光吸収層は、３８０〜７８０ｎｍで消衰係数（ｋ）が０超過４以下であり、０．０１〜４であることが好ましく、０．０１〜３．５であってもよく、０．０１〜３であってもよく、０．１〜１であってもよい。
【０１６２】
４００ｎｍ、好ましくは３８０〜７８０ｎｍの可視光線全波長領域で消衰係数（ｋ）が前記範囲であるため、可視光線範囲内で光吸収層の役割を果たすことができる。
【０１６３】
例えば、樹脂中に染料を添加して光を吸収する方式を利用する場合と、上述のような消衰係数を有する材料を使用する場合は、光を吸収するスペクトルが異なる。樹脂中に染料を添加して光を吸収する場合、吸収波長帯が固定され、コーティング厚さの変化に伴って吸収量が変化する現象のみが発生する。また、所望の光吸収量を得るために、光吸収量を調節するために最小数マイクロメートル以上の厚さ変化が必要である。これに対し、消衰係数を有する材料では、厚さが数もしくは数十ナノメートルの規模で変化しても、吸収する光の波長帯が変わる。
【０１６４】
一実施態様によると、前記光反射層は、金属層、金属酸窒化物層、または無機物層であることができる。前記光反射層は、単一層で構成されてもよく、２層以上の多層で構成されてもよい。
【０１６５】
一例として、前記光反射層は、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、コバルト（Ｃｏ）、金（Ａｕ）、および銀（Ａｇ）から選択される１種または２種以上の材料、その酸化物、窒化物、または酸窒化物、炭素および炭素複合体のうち１種または２種以上の材料を含む単一層または多層であることができる。例えば、前記光反射層は、前記材料から選択される２つ以上の合金、その酸化物、窒化物、または酸窒化物を含むことができる。例えば、前記光反射層は、前記金属から選択される２つ以上の合金を含むことができる。より具体的には、前記光反射層は、モリブデン、アルミニウム、または銅を含むことができる。他の一例によると、前記光反射層は、炭素または炭素複合体を含むインクを利用して製造されることで、高抵抗の反射層を実現することができる。炭素または炭素複合体としては、カーボンブラック、ＣＮＴなどが挙げられる。前記炭素または炭素複合体を含むインクは、上述の材料またはその酸化物、窒化物、または酸窒化物を含むことができ、例えば、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、コバルト（Ｃｏ）、金（Ａｕ）、および銀（Ａｇ）から選択される１種または２種以上の酸化物を含むことができる。前記炭素または炭素複合体を含むインクを印刷した後、硬化工程をさらに行うことができる。
【０１６６】
前記光反射層は、２種以上の材料を含む場合、２種以上の材料を１つの工程、例えば、蒸着または印刷の方法により形成してもよいが、１種以上の材料で先に層を形成した後、さらに１種以上の材料で、その上に層を形成する方法が利用されることができる。例えば、インジウムやスズを蒸着して層を形成した後、炭素を含むインクを印刷してから硬化させることで、光反射層を形成することができる。前記インクには、チタン酸化物、シリコン酸化物のような酸化物がさらに含まれることができる。
【０１６７】
一実施態様によると、前記光吸収層は、単一層であってもよく、２層以上の多層であってもよい。前記光吸収層は、３８０〜７８０ｎｍで消衰係数（ｋ）を有する材料、すなわち、消衰係数が０超過４以下、好ましくは０．０１〜４の材料からなることができる。例えば、前記光吸収層は、金属、メタロイド、および金属やメタロイドの酸化物、窒化物、酸窒化物、および炭化物からなる群から選択される１つまたは２つ以上を含むことができる。前記金属またはメタロイドの酸化物、窒化物、酸窒化物、または炭化物は、当業者が設定した蒸着条件などによって形成することができる。光吸収層は、光反射層と同一の金属、メタロイド、２種以上の合金または酸窒化物を含んでもよい。
【０１６８】
例えば、前記光吸収層は、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、コバルト（Ｃｏ）、金（Ａｕ）、および銀（Ａｇ）から選択される１種または２種以上の材料、またがその酸化物、窒化物、または酸窒化物を含む単一層または多層であることができる。具体的な例として、前記光吸収層は、銅酸化物、銅窒化物、銅酸窒化物、アルミニウム酸化物、アルミニウム窒化物、アルミニウム酸窒化物、およびモリブデンチタン酸窒化物から選択される１種または２種以上を含む。
【０１６９】
一例によると、前記光吸収層は、シリコン（Ｓｉ）またはゲルマニウム（Ｇｅ）を含む。
【０１７０】
シリコン（Ｓｉ）またはゲルマニウム（Ｇｅ）からなる光吸収層は、４００ｎｍで屈折率（ｎ）が０〜８であり、０〜７であってもよく、消衰係数（ｋ）が０超過４以下、好ましくは０．０１〜４であり、０．０１〜３または０．０１〜１であってもよい。
【０１７１】
他の一例によると、前記光吸収層は、銅酸化物、銅窒化物、銅酸窒化物、アルミニウム酸化物、アルミニウム窒化物、アルミニウム酸窒化物、およびモリブデンチタン酸窒化物から選択される１種または２種以上を含む。この場合、光吸収層は、４００ｎｍで屈折率（ｎ）が１〜３、例えば、２〜２．５であってもよく、消衰係数（ｋ）が０超過４以下、好ましくは０．０１〜２．５、好ましくは０．２〜２．５、より好ましくは０．２〜０．６であってもよい。
【０１７２】
一例によると、前記光吸収層はＡｌＯｘＮｙ（ｘ＞０、ｙ＞０）である。
【０１７３】
他の一例によると、前記光吸収層は、ＡｌＯｘＮｙ（０≦ｘ≦１．５、０≦ｙ≦１）であることができる。
【０１７４】
他の一例によると、前記光吸収層は、ＡｌＯｘＮｙ（ｘ＞０、ｙ＞０）であり、全原子数１００％に対して、各原子の数が下記式を満たす。
【数３２】
2021510641.tif 000166
【０１７５】
一実施態様によると、前記光吸収層は、４００ｎｍ、好ましくは３８０〜７８０ｎｍで消衰係数（ｋ）を有する材料からなることができ、例えば、光吸収層／光反射層は、ＣｕＯ／Ｃｕ、ＣｕＯＮ／Ｃｕ、ＣｕＯＮ／Ａｌ、ＡｌＯＮ／Ａｌ、ＡｌＮ／ＡＬ／ＡｌＯＮ／Ｃｕ、ＡｌＮ／Ｃｕなどの材料で形成されることができる。
【０１７６】
一実施態様によると、前記光反射層の厚さは、最終構造で所望の色相によって決定可能であり、例えば、１ｎｍ以上、好ましくは２５ｎｍ以上、例えば、５０ｎｍ以上、好ましくは７０ｎｍ以上である。
【０１７７】
一実施態様によると、前記光吸収層の厚さは５〜５００ｎｍ、例えば、３０〜５００ｎｍであることができる。
【０１７８】
一実施態様によると、前記光吸収層の領域毎の厚さ差は２〜２００ｎｍであり、所望の色相差によって決定可能である。
【０１７９】
一実施態様によると、前記光反射層の下面または前記光吸収層の上面に備えられた基材をさらに含むことができる。前記基材の上面の傾斜度のような表面特性は、前記光反射層および光吸収層の上面と同一であることができる。これは、光反射層と光吸収層が蒸着方法により形成されることで、基材、光反射層、および光吸収層が同一の角度の傾斜面を有することができる。例えば、上記のような構造は、基材の上面に傾斜面または立体構造を形成し、その上に、光反射層および光吸収層を順に蒸着するか、光吸収層および光反射層を順に蒸着することで実現されることができる。
【０１８０】
一例によると、前記基材の表面に傾斜面または立体構造を形成することは、紫外線硬化型樹脂にパターンを形成し、紫外線を利用して硬化することで製造してもよく、レーザーで加工する方法により行ってもよい。一実施態様によると、前記装飾部材は、装飾フィルムまたはモバイル機器のケースであることができる。前記装飾部材は、必要に応じて、粘着層をさらに含んでもよい。
【０１８１】
前記基材の材料は特に限定されず、上記のような方法により傾斜面または立体構造を形成する場合、当技術分野で公知の紫外線硬化型樹脂が用いられることができる。
【０１８２】
前記光吸収層上には、保護層がさらに備えられてもよい。
【０１８３】
一例によると、前記光吸収層または光反射層が備えられた基材の反対面には、接着剤層がさらに備えられてもよい。この接着剤層は、ＯＣＡ（ｏｐｔｉｃａｌｌｙ  ｃｌｅａｒ  ａｄｈｅｓｉｖｅ）層であることができる。前記接着剤層上には、必要に応じて、保護のための剥離層（ｒｅｌｅａｓｅ  ｌｉｎｅｒ）がさらに備えられることができる。
【０１８４】
本明細書では、光反射層および光吸収層を形成する方法の例として、スパッタリング方式のような蒸着を言及したが、本明細書に記載の実施態様に係る構成および特性を有することができれば、薄膜を製作するための様々な方式が適用可能である。例えば、蒸発蒸着法、ＣＶＤ（ｃｈｅｍｉｃａｌ  ｖａｐｏｒ  ｄｅｐｏｓｉｔｉｏｎ）、湿式コーティング（ｗｅｔ  ｃｏａｔｉｎｇ）などが用いられることができる。
【実施例】
【０１８５】
以下、実施例を挙げて本発明をより詳細に説明する。以下の実施例は、本発明を例示するためのものにすぎず、本発明の範囲を限定するためのものではない。
【０１８６】
実施例１〜４、比較例１〜３
フィルム＃１〜＃７に対して、θｖ＝９０°、Ｄｖ＝５００ｍｍである時に、中心視野角
2021510641.tif 000167
による式１の奥行き感パラメータ値δ１ｍを、下記表２および図８に示した。基材としてＰＥＴフィルムを使用し、フィルム＃１は、装飾層が鏡として熱蒸着されたアルミニウムからなる平面フィルムを使用し、フィルム＃２は、パターン形状のない平面にアルミニウム酸化物が蒸着されたフィルムを使用し、フィルム＃３は、コロイド吸収層からなる非フリズムパターンフィルムとして、ピッチ２００μｍ、フィルファクタ（ｆｉｌｌ  ｆａｃｔｏｒ）２５％、高さ５０μｍの長方形の断面を有するコロイド吸収層パターンフィルム（フィルファクタとは、全ピッチ２００μｍ中に、コロイド吸収層で満たされている割合）を使用し、フィルム＃４は、非対称プリズムフィルムとして、アルミニウム酸化物からなるピッチ７７．８μｍ、高さ２５μｍ、および底角２０°／７０°のプリズムフィルムを使用し、フィルム＃５は、非対称プリズムフィルムとして、アルミニウム酸化物からなるピッチ７７．８μｍ、高さ２５μｍ、および底角１４°／７６°のプリズムフィルムを使用し、フィルム＃６は、非対称プリズムフィルムとして、多層薄膜からなるピッチ７７．８μｍ、高さ２５μｍ、および底角２０°／７０°のプリズムフィルムを使用し、フィルム＃７は、対称プリズムフィルムとして、多層薄膜からなるピッチ７７．８μｍ、高さ２５μｍ、および底角４５°／４５°のプリズムフィルムを使用した。前記フィルム＃６およびフィルム＃７は、下から、ＴｉＯ２層（厚さ５０ｎｍ）、ＳｉＯ２層（厚さ１００ｎｍ）、およびＴｉＯ２層（厚さ１００ｎｍ）を含む３層薄膜構造である。
【０１８７】
【表２】
2021510641.tif 000168
【０１８８】
前記中心視野角が＋または−であることは、装飾層上のｘ軸を基準として、探知手段の位置が互いに反対側にあることを意味する。
【０１８９】
表２によると、前記フィルム＃３の非フリズムパターンフィルムと、フィルム＃４〜＃６の非対称プリズムフィルムは、中心視野角
2021510641.tif 000169
の少なくとも一部において、前記式１で表される奥行き感パラメータ値δ１ｍが０．１５以上であるのに対し、それ以外のフィルム＃１、＃２、および＃７は、中心視野角
2021510641.tif 000170
において、前記式１で表される奥行き感パラメータ値δ１ｍが何れも０．１５未満であった。具体的に、フィルム＃３は、中心視野角
2021510641.tif 000171
において、フィルム＃４は、中心視野角
2021510641.tif 000172
において、フィルム＃５は、中心視野角
2021510641.tif 000173
において、フィルム＃６は、中心視野角
2021510641.tif 000174
において、前記式１で表される奥行き感パラメータ値δ１ｍが０．１５以上であった。このように、中心視野角
2021510641.tif 000175
の少なくとも一部において、前記式１で表される奥行き感パラメータ値δ１ｍが０．１５以上であるフィルム＃３〜＃６は、実際のフィルムの表面上のパターン形態にかかわらず、奥行き感のある表面特性を感じることができたのに対し、フィルム＃１、＃２、および＃７は、奥行き感のある表面特性が感じられなかった。前記フィルム＃１〜＃７に対して、θｖ＝９０°、Ｄｖ＝５００ｍｍである時に、中心視野角
2021510641.tif 000176
による式１１の奥行き感パラメータ値δ１ｂを、下記表３および図１１に示した。
【０１９０】
【表３】
2021510641.tif 000177
【０１９１】
表３によると、前記フィルム＃３の非フリズムパターンフィルムと、フィルム＃４〜＃６の非対称プリズムフィルムは、中心視野角
2021510641.tif 000178
の少なくとも一部において、前記式１１で表される奥行き感パラメータ値δ１ｂが３以上であるのに対し、それ以外のフィルム＃１、＃２、および＃７は、中心視野角
2021510641.tif 000179
において、前記式１１で表される奥行き感パラメータ値δ１ｂが何れも３未満であった。具体的に、フィルム＃３は、中心視野角
2021510641.tif 000180
において、フィルム＃４は、
2021510641.tif 000181
において、フィルム＃５は、中心視野角
2021510641.tif 000182
において、フィルム＃６は、中心視野角
2021510641.tif 000183
において、前記式１１で表される奥行き感パラメータ値δ１ｂが３以上であった。
【０１９２】
前記フィルム＃１〜＃７に対して、θｖ＝９０°、Ｄｖ＝５００ｍｍである時に、中心視野角
2021510641.tif 000184
による式２１の奥行き感パラメータ値δ２を、下記表４および図２５に示した。
【０１９３】
【表４】
2021510641.tif 000185
【０１９４】
表４によると、前記フィルム＃３の非フリズムパターンフィルムと、フィルム＃４〜＃６の非対称プリズムフィルムは、中心視野角
2021510641.tif 000186
の少なくとも一部において、前記式２１で表される奥行き感パラメータ値δ２が０．３以上であるのに対し、それ以外のフィルム＃１、＃２、および＃７は、中心視野角
2021510641.tif 000187
において、前記式２１で表される奥行き感パラメータ値δ２が何れも０．３未満であった。具体的に、フィルム＃３は、中心視野角
2021510641.tif 000188
において、フィルム＃４は、中心視野角
2021510641.tif 000189
において、フィルム＃５は、中心視野角
2021510641.tif 000190
において、フィルム＃６は、中心視野角
2021510641.tif 000191
において、前記式２１で表される奥行き感パラメータ値δ２が０．３以上であった。
【０１９５】
前記フィルム＃１〜＃７のθｖ＝９０°、Ｄｖ＝５００ｍｍである時に、
2021510641.tif 000192
による角輝度分布を図９（ａ）に示し、前記図９（ａ）の角輝度分布グラフの勾配を角輝度で除した値を図９（ｂ）に示した。
【０１９６】
実施例５
非対称プリズムフィルムとして、ピッチを０．１ｍｍに変更したことを除き、フィルム＃４（実施例２）の非対称プリズムフィルムと同様に行った。装飾部材の中央での角輝度を図２７に示した。また、装飾部材の中央から２．５ｍｍ離れた地点での角輝度を図２８に示した。図２７および図２８から、装飾部材のパターンのピッチが１ｍｍより小さい場合、装飾部材の中央と、装飾部材の中央から２．５ｍｍ離れた地点での角輝度が同一であることを確認することができる。
【０１９７】
実施例６
非対称プリズムフィルムとして、ピッチを１０ｍｍに変更したことを除き、フィルム＃４（実施例２）の非対称プリズムフィルムと同様に行った。装飾部材の中央での角輝度を図２９に示した。また、装飾部材の中央から２．５ｍｍ離れた地点での角輝度を図３０に示した。図２９および図３０から、装飾部材のパターンのピッチが１ｍｍより大きい場合、装飾部材の中央と、装飾部材の中央から２．５ｍｍ離れた地点での角輝度が異なることを確認することができる。
【図１】
2021510641.tif 000244
【図２】
2021510641.tif 000245
【図３】
2021510641.tif 000246
【図４】
2021510641.tif 000247
【図５】
2021510641.tif 000248
【図６】
2021510641.tif 000249
【図７】
2021510641.tif 000250
【図８】
2021510641.tif 000251
【図９】
2021510641.tif 000252
【図１０】
2021510641.tif 000253
【図１１】
2021510641.tif 000254
【図１２】
2021510641.tif 000255
【図１３】
2021510641.tif 000256
【図１４】
2021510641.tif 000257
【図１５】
2021510641.tif 000258
【図１６】
2021510641.tif 000259
【図１７】
2021510641.tif 000260
【図１８】
2021510641.tif 000261
【図１９】
2021510641.tif 000262
【図２０】
2021510641.tif 000263
【図２１（ａ）】
2021510641.tif 000264
【図２１（ｂ）】
2021510641.tif 000265
【図２１（ｃ）】
2021510641.tif 000266
【図２１（ｄ）】
2021510641.tif 000267
【図２１（ｅ）】
2021510641.tif 000268
【図２１（ｆ）】
2021510641.tif 000269
【図２１（ｇ）】
2021510641.tif 000270
【図２１（ｈ）】
2021510641.tif 000271
【図２１（ｉ）】
2021510641.tif 000272
【図２２】
2021510641.tif 000273
【図２３】
2021510641.tif 000274
【図２４】
2021510641.tif 000275
【図２５】
2021510641.tif 000276
【図２６】
2021510641.tif 000277
【図２７】
2021510641.tif 000278
【図２８】
2021510641.tif 000279
【図２９】
2021510641.tif 000280
【図３０】
2021510641.tif 000281
【図３１】
2021510641.tif 000282
【図３２】
2021510641.tif 000283
【図３３】
2021510641.tif 000284
【図３４】
2021510641.tif 000285
【図３５】
2021510641.tif 000286
【図３６】
2021510641.tif 000287
【図３７】
2021510641.tif 000288
【図３８（ａ）】
2021510641.tif 000289
【図３８（ｂ）】
2021510641.tif 000290
【図３９】
2021510641.tif 000291
【図４０】
2021510641.tif 000292
【図４１】
2021510641.tif 000293
【図４２】
2021510641.tif 000294
【図４３】
2021510641.tif 000295
【図４４】
2021510641.tif 000296
【図４５】
2021510641.tif 000297
【国際調査報告】
2021510641.tif 000298
2021510641.tif 000299
2021510641.tif 000300
2021510641.tif 000301